(57)【要約】本開示のある態様は、反復する、オーバーラップする物理アップリンク共有チャネル（ＰＵＳＣＨ）および物理アップリンク制御チャネル（ＰＵＣＣＨ）リソース割当てに対するアップリンク制御情報（ＵＣＩ）送信のための技術を提供する。ユーザ機器（ＵＥ）によるワイヤレス通信のための方法を提供する。方法は、一般的に、第１の反復数に関係付けられている第１の１つ以上のスロット中のＰＵＳＣＨ上で送信するスケジューリングと、第２の反復数に関係付けられている第２の１つ以上のスロット中のＰＵＣＣＨ上で送信するスケジューリングとを受信することを含んでいる。スケジューリングされた送信は少なくとも１つのスロット中でオーバーラップする。方法は、第１および第２の１つ以上のスロットのそれぞれに対して、どのチャネル上でＵＣＩを送信し、および、どのチャネルをドロップするかを決定することを含む。方法は、決定にしたがって、第１および第２の１つ以上のスロット中のＵＣＩを送信またはドロップすることを含む。【選択図】図７
2021512530.tif 000002
【特許請求の範囲】
【請求項１】
ユーザ機器（ＵＥ）によるワイヤレス通信のための方法であって、
第１の反復数に関係付けられている第１の１つ以上のスロット中の物理アップリンク共有チャネル（ＰＵＳＣＨ）上で送信するスケジューリングと、第２の反復数に関係付けられている第２の１つ以上のスロット中の物理アップリンク制御チャネル（ＰＵＣＣＨ）上で送信するスケジューリングとを受信すること、ここにおいて、前記スケジューリングされたＰＵＳＣＨおよびＰＵＣＣＨ送信は、少なくとも１つのスロット中でオーバーラップする、と、
前記ＰＵＳＣＨ上でアップリンク制御情報（ＵＣＩ）を送信し、前記スケジューリングされたＰＵＣＣＨ送信をドロップすること、前記ＰＵＣＣＨ上で前記ＵＣＩを送信し、前記スケジューリングされたＰＵＳＣＨ送信をドロップすること、または、前記第１および第２の１つ以上のスロットのそれぞれに対する前記ＵＣＩ送信をドロップすること、を決定することと、
前記決定にしたがって、前記第１および第２の１つ以上のスロット中の前記ＵＣＩを送信またはドロップすることと
を備える、方法。
【請求項２】
前記決定は、前記ＵＣＩに関係付けられている第１の優先度レベルと、前記ＰＵＳＣＨに関係付けられている第２の優先度レベルとに少なくとも部分的に基づく、
請求項１に記載の方法。
【請求項３】
前記決定は、前記ＰＵＣＣＨ上でスケジューリング要求（ＳＲ）を送信し、前記ＰＵＳＣＨ上でＵＣＩをドロップする決定をすることを備える、
請求項１に記載の方法。
【請求項４】
前記決定は、前記ＵＣＩに関係付けられている情報のタイプの優先度レベルに少なくとも部分的に基づく、
請求項１に記載の方法。
【請求項５】
前記優先度レベルは、降順の優先度で、ＡＣＫ／ＮＡＣＫ情報、スケジューリング要求、第１のタイプのチャネル状態情報（ＣＳＩ）、および、第２のタイプのＣＳＩを備える、
請求項４に記載の方法。
【請求項６】
前記決定は、無線リソース制御（ＲＲＣ）コンフィギュレーションに基づく、
請求項１に記載の方法。
【請求項７】
前記決定は、どの送信が他よりも早く送信されるようにスケジューリングされるか、または、前記送信のためのリソース割当てが受信される時間のうちの少なくとも１つに少なくとも部分的に基づく、
請求項１に記載の方法。
【請求項８】
前記第１の反復数は１より大きく、前記第２の反復数は１であり、
前記少なくとも１つのスロットのそれぞれについて、前記決定は、ＵＣＩを送信するための単一スロットルールに基づく、
請求項１に記載の方法。
【請求項９】
前記単一スロットルールにしたがって、前記少なくとも１つのスロットにおける送信のために使用するビームを決定することをさらに備える、
請求項８に記載の方法。
【請求項１０】
前記第２の反復数は、１より大きく、
前記決定は、前記ＰＵＣＣＨ上でＵＣＩを送信し、前記ＰＵＳＣＨをドロップする決定をすることを備える、
請求項１に記載の方法。
【請求項１１】
前記ＰＵＳＣＨをドロップする１つ以上のスケジューリングされたスロットは、前記少なくとも１つのオーバーラップするスロットのみを備える、
請求項１０に記載の方法。
【請求項１２】
前記決定は、複数の繰り返しが前記ＰＵＳＣＨおよびＰＵＣＣＨ送信に対して構成されているかに少なくとも部分的に基づく、
請求項１に記載の方法。
【請求項１３】
前記決定は、前記ＵＥが前記ＰＵＳＣＨ上で送信するようにスケジューリングされるサービスのタイプに少なくとも部分的に基づく、
請求項１に記載の方法。
【請求項１４】
前記サービスのタイプは、拡張移動体ブロードバンド（ｅＭＢＢ）サービスまたは超高信頼低遅延通信（ＵＲＬＬＣ）サービスを含む、
請求項１３に記載の方法。
【請求項１５】
ワイヤレス通信のための装置であって、
第１の反復数に関係付けられている第１の１つ以上のスロット中の物理アップリンク共有チャネル（ＰＵＳＣＨ）上で送信するスケジューリングと、第２の反復数に関係付けられている第２の１つ以上のスロット中の物理アップリンク制御チャネル（ＰＵＣＣＨ）上で送信するスケジューリングとを受信するように構成されている受信機、ここにおいて、前記スケジューリングされたＰＵＳＣＨおよびＰＵＣＣＨ送信は、少なくとも１つのスロット中でオーバーラップする、と、
メモリに結合されている少なくとも１つのプロセッサ、前記少なくとも１つのプロセッサは、前記ＰＵＳＣＨ上でアップリンク制御情報（ＵＣＩ）を送信し、前記スケジューリングされたＰＵＣＣＨ送信をドロップすること、前記ＰＵＣＣＨ上で前記ＵＣＩを送信し、前記スケジューリングされたＰＵＳＣＨ送信をドロップすること、または、前記第１および第２の１つ以上のスロットのそれぞれに対する前記ＵＣＩ送信をドロップすること、を決定するように構成される、と、
前記決定にしたがって、前記第１および第２の１つ以上のスロット中の前記ＵＣＩを送信またはドロップするように構成されている送信機と
を備える、装置。
【請求項１６】
前記少なくとも１つのプロセッサは、前記ＵＣＩに関係付けられている第１の優先度レベルと、前記ＰＵＳＣＨに関係付けられている第２の優先度レベルとに少なくとも部分的に基づいて決定するように構成されている、
請求項１５に記載の装置。
【請求項１７】
前記決定は、前記ＰＵＣＣＨ上でスケジューリング要求（ＳＲ）を送信し、前記ＰＵＳＣＨ上でＵＣＩをドロップする決定をすることを備える、
請求項１５に記載の装置。
【請求項１８】
前記少なくとも１つのプロセッサは、前記ＵＣＩに関係付けられている情報のタイプの優先度レベルに少なくとも部分的に基づいて決定するように構成されている、
請求項１５に記載の装置。
【請求項１９】
前記優先度レベルは、降順の優先度で、ＡＣＫ／ＮＡＣＫ情報、スケジューリング要求、第１のタイプのチャネル状態情報（ＣＳＩ）、および、第２のタイプのＣＳＩを備える、
請求項１８に記載の装置。
【請求項２０】
前記少なくとも１つのプロセッサは、無線リソース制御（ＲＲＣ）コンフィギュレーションに基づいて決定するように構成されている、
請求項１５に記載の装置。
【請求項２１】
前記少なくとも１つのプロセッサは、どの送信が他よりも早く送信されるようにスケジューリングされるか、または、前記送信のためのリソース割当てが受信される時間のうちの少なくとも１つに少なくとも部分的に基づいて決定するように構成されている、
請求項１５に記載の装置。
【請求項２２】
前記第１の反復数は１より大きく、前記第２の反復数は１であり、
前記少なくとも１つのスロットのそれぞれについて、前記少なくとも１つのプロセッサは、ＵＣＩを送信するための単一スロットルールに基づいて決定するように構成されている、
請求項１５に記載の装置。
【請求項２３】
前記単一スロットルールにしたがって、前記少なくとも１つのスロットにおける送信のために使用するビームを決定する手段をさらに備える、
請求項２２に記載の装置。
【請求項２４】
前記第２の反復数は１より大きく、
前記決定は、前記ＰＵＣＣＨ上でＵＣＩを送信し、前記ＰＵＳＣＨをドロップする決定をすることを備える、
請求項１５に記載の装置。
【請求項２５】
前記ＰＵＳＣＨをドロップする１つ以上のスケジューリングされたスロットは、前記少なくとも１つのオーバーラップするスロットのみを備える、
請求項２４に記載の装置。
【請求項２６】
前記少なくとも１つのプロセッサは、複数の繰り返しが前記ＰＵＳＣＨおよびＰＵＣＣＨ送信に対して構成されているかに少なくとも部分的に基づいて決定するように構成されている、
請求項１５に記載の装置。
【請求項２７】
前記少なくとも１つのプロセッサは、前記装置が前記ＰＵＳＣＨ上で送信するようにスケジューリングされるサービスのタイプに少なくとも部分的に基づいて決定するように構成されている、
請求項１５に記載の装置。
【請求項２８】
前記サービスのタイプは、拡張移動体ブロードバンド（ｅＭＢＢ）サービスまたは超高信頼低遅延通信（ＵＲＬＬＣ）サービスを備える、
請求項２７に記載の装置。
【請求項２９】
ワイヤレス通信のための装置であって、
第１の反復数に関係付けられている第１の１つ以上のスロット中の物理アップリンク共有チャネル（ＰＵＳＣＨ）上で送信するスケジューリングと、第２の反復数に関係付けられている第２の１つ以上のスロット中の物理アップリンク制御チャネル（ＰＵＣＣＨ）上で送信するスケジューリングとを受信する手段、ここにおいて、前記スケジューリングされたＰＵＳＣＨおよびＰＵＣＣＨ送信は、少なくとも１つのスロット中でオーバーラップする、と、
前記ＰＵＳＣＨ上でアップリンク制御情報（ＵＣＩ）を送信し、前記スケジューリングされたＰＵＣＣＨ送信をドロップすること、前記ＰＵＣＣＨ上で前記ＵＣＩを送信し、前記スケジューリングされたＰＵＳＣＨ送信をドロップすること、または、前記第１および第２の１つ以上のスロットのそれぞれに対する前記ＵＣＩ送信をドロップすること、を決定する手段と、
前記決定にしたがって、前記第１および第２の１つ以上のスロット中の前記ＵＣＩを送信またはドロップする手段と
を備える、装置。
【請求項３０】
ワイヤレス通信のためのコンピュータ実行可能コードを記憶しているコンピュータ読取可能媒体であって、
第１の反復数に関係付けられている第１の１つ以上のスロット中の物理アップリンク共有チャネル（ＰＵＳＣＨ）上で送信するスケジューリングと、第２の反復数に関係付けられている第２の１つ以上のスロット中の物理アップリンク制御チャネル（ＰＵＣＣＨ）上で送信するスケジューリングとを受信するためのコード、ここにおいて、前記スケジューリングされたＰＵＳＣＨおよびＰＵＣＣＨ送信は、少なくとも１つのスロット中でオーバーラップする、と、
前記ＰＵＳＣＨ上でアップリンク制御情報（ＵＣＩ）を送信し、前記スケジューリングされたＰＵＣＣＨ送信をドロップすること、前記ＰＵＣＣＨ上で前記ＵＣＩを送信し、前記スケジューリングされたＰＵＳＣＨ送信をドロップすること、または、前記第１および第２の１つ以上のスロットのそれぞれに対する前記ＵＣＩ送信をドロップすること、を決定するためのコードと、
前記決定にしたがって、前記第１および第２の１つ以上のスロット中の前記ＵＣＩを送信またはドロップするためのコードと
を備える、コンピュータ読取可能媒体。
【発明の詳細な説明】
【背景技術】
【０００１】
【関連出願の相互参照および優先権主張】
【０００２】
[0001]本出願は、２０１９年１月１７日に出願された米国出願番号１６／２５０，５４２に対する優先権を主張し、これは、２０１８年１月１９日に出願された米国仮特許出願シリアル番号６２／６１９，７０９、２０１８年２月１６日に出願された米国仮特許出願シリアル番号６２／７１０，４４１、および、２０１８年２月２３日に出願された米国仮特許出願シリアル番号６２／６３４，７９７に対する利益および優先権を主張し、これらはすべて、以下に完全に記載されているかのように、およびすべての適用可能な目的のために、その全体が参照によってここに組み込まれている。
【開示の分野】
【０００３】
[0002]本開示の態様は、ワイヤレス通信と、新たな無線（ＮＲ）システムにおいてのようなあるシステムにおいて、反復する、物理アップリンク共有チャネル（ＰＵＳＣＨ）および物理アップリンク制御チャネル（ＰＵＣＣＨ）のような、オーバーラップするアップリンクリソース割当てに対するアップリンク制御情報（ＵＣＩ）送信のための技術とに関する。
【関連技術の説明】
【０００４】
[0003]ワイヤレス通信システムは、電話機、ビデオ、データ、メッセージング、およびブロードキャスト等のようなさまざまな電気通信サービスを提供するために広く配備されている。これらのワイヤレス通信システムは、利用可能なシステムリソース（例えば、帯域幅および送信電力等）を共有することによって、複数のユーザとの通信をサポートすることができる多元接続テクノロジーであり得る。このような多元接続システムの例は、第３世代パートナーシッププロジェクト（３ＧＰＰ（登録商標））ロングタームエボリューション（ＬＴＥ（登録商標））システム、ＬＴＥアドバンスト（ＬＴＥ−Ａ）システム、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、および、時分割同期コード分割多元接続（ＴＤ−ＳＣＤＭＡ）システムを含む。
【０００５】
[0004]いくつかの例では、ワイヤレス多元接続通信システムは、多数の基地局（ＢＳ）を含んでいてもよく、基地局はそれぞれ、さもなければユーザ機器（ＵＥ）として知られている複数の通信デバイスに対する通信を同時にサポートすることができる。ＬＴＥまたはＬＴＥ−Ａネットワークにおいて、１つ以上の基地局のセットは、ｅノードＢ（ｅＮＢ）を規定し得る。他の例では（例えば、次世代、新たな無線（ＮＲ）、または、５Ｇネットワークでは）、ワイヤレス多元接続通信システムは、多数の中央ユニット（ＣＵ）（例えば、中央ノード（ＣＮ）、アクセスノード制御装置（ＡＣＮ）等）と通信する、多数の分散ユニット（ＤＵ）（例えば、エッジユニット（ＥＵ）、エッジノード（ＥＮ）、無線ヘッド（ＲＨ）、スマート無線ヘッド（ＳＲＨ）、送受信ポイント（ＴＲＰ）等）を含んでいてもよく、ＣＵと通信する１つ以上のＤＵのセットは、（例えば、ＢＳ、５Ｇ  ＮＢ、次世代ノードＢ（ｇＮＢまたはｇノードＢ）、送受信ポイント（ＴＲＰ）等と呼ばれることがある）アクセスノードを規定し得る。ＢＳまたはＤＵは、（例えば、ＢＳまたはＤＵからＵＥへの送信のための）ダウンリンクチャネル上で、および、（例えば、ＵＥからＢＳまたはＤＵへの送信のための）アップリンクチャネル上で、ＵＥのセットと通信し得る。
【０００６】
[0005]これらの多元接続テクノロジーは、異なるワイヤレスデバイスが市区町村レベル、国レベル、地域レベル、さらにはグローバルレベルで通信することを可能にさせる共通のプロトコルを提供するために、さまざまな電気通信標準規格で採用されている。ＮＲ（例えば、新たな無線または５Ｇ）は、新興の電気通信標準規格の一例である。ＮＲは、３ＧＰＰによって公表されたＬＴＥ移動体標準規格への拡張のセットである。ＮＲは、スペクトル効率を改善すること、コストを下げること、サービスを改善すること、新たなスペクトルを使用すること、並びに、ダウンリンク（ＤＬ）およびアップリンク（ＵＬ）上でサイクリックプレフィックス（ＣＰ）とともにＯＦＤＭＡを使用して、他のオープン標準規格とより良く統合することによって、移動体ブロードバンドインターネットアクセスをより良くサポートするように設計される。これらの目的のために、ＮＲは、ビームフォーミング、複数入力複数出力（ＭＩＭＯ）アンテナテクノロジー、および搬送波アグリゲーションをサポートする。
【０００７】
[0006]しかしながら、移動体ブロードバンドアクセスに対する需要が増加し続けるにつれて、ＮＲおよびＬＴＥテクノロジーにおけるさらなる改善の必要性が存在する。好ましくは、これらの改善は、これらのテクノロジーを用いる他の多元接続テクノロジーと電気通信規格とに対して適用可能であるべきである。
【発明の概要】
【０００８】
[0007]本開示のシステム、方法、およびデバイスはそれぞれ、いくつかの態様を有し、これらのうちのいずれも、その望ましい属性を単独で担うものではない。後続する特許請求の範囲によって表される本開示の範囲を限定することなく、いくつかの特徴を簡潔に説明する。この説明を考慮した後、特に「詳細な説明」と題されたセクションを読んだ後、当業者は、本開示の特徴がワイヤレスネットワーク中のアクセスポイントと局との間に改善された通信を含むという利点をどのように提供するかを理解するであろう。
【０００９】
[0008]本開示のある態様は、一般的に、新たな無線（ＮＲ）システムのような、あるシステムにおいて反復する、物理アップリンク共有チャネル（ＰＵＳＣＨ）および物理アップリンク制御チャネル（ＰＵＣＣＨ）リソース割当てのような、オーバーラップするアップリンクリソース割当てに対するアップリンク制御情報（ＵＣＩ）送信のための方法および装置に関する。
【００１０】
[0009]本開示のある態様は、例えば、ユーザ機器（ＵＥ）によって実行され得るワイヤレス通信のための方法を提供する。方法は、一般的に、第１の反復数に関係付けられている第１の１つ以上のスロット中のＰＵＳＣＨ上で送信するスケジューリングと、第２の反復数に関係付けられている第２の１つ以上のスロット中のＰＵＣＣＨ上で送信するスケジューリングとを受信することを含んでいる。スケジューリングされたＰＵＳＣＨおよびＰＵＣＣＨ送信は、少なくとも１つのスロット中でオーバーラップする。方法は、ＰＵＳＣＨ上でＵＣＩを送信し、スケジューリングされたＰＵＣＣＨ送信をドロップすること、ＰＵＣＣＨ上でＵＣＩを送信し、スケジューリングされたＰＵＳＣＨ送信をドロップすること、または、第１および第２の１つ以上のスロットのそれぞれに対するＵＣＩ送信をドロップすること、を決定することを含んでいる。方法は、決定にしたがって、第１および第２の１つ以上のスロット中のＵＣＩを送信またはドロップすることを含んでいる。
【００１１】
[0010]本開示のある態様は、ＵＥのような、ワイヤレス通信のための装置を提供する。本装置は、一般的に、第１の反復数に関係付けられている第１の１つ以上のスロット中のＰＵＳＣＨ上で送信するスケジューリングと、第２の反復数に関係付けられている第２の１つ以上のスロット中のＰＵＣＣＨ上で送信するスケジューリングとを受信する手段を含んでいる。スケジューリングされたＰＵＳＣＨおよびＰＵＣＣＨ送信は、少なくとも１つのスロット中でオーバーラップする。装置は、ＰＵＳＣＨ上でＵＣＩを送信し、スケジューリングされたＰＵＣＣＨ送信をドロップすること、ＰＵＣＣＨ上でＵＣＩを送信し、スケジューリングされたＰＵＳＣＨ送信をドロップすること、または、第１および第２の１つ以上のスロットのそれぞれに対するＵＣＩ送信をドロップすること、を決定する手段を含んでいる。装置は、決定にしたがって、第１および第２の１つ以上のスロット中のＵＣＩを送信またはドロップする手段を含んでいる。
【００１２】
[0011]本開示のある態様は、ＵＥのような、ワイヤレス通信のための装置を提供する。装置は、一般的に、第１の反復数に関係付けられている第１の１つ以上のスロット中のＰＵＳＣＨ上で送信するスケジューリングと、第２の反復数に関係付けられている第２の１つ以上のスロット中のＰＵＣＣＨ上で送信するスケジューリングとを受信するように構成されている受信機を含んでいる。スケジューリングされたＰＵＳＣＨおよびＰＵＣＣＨ送信は、少なくとも１つのスロット中でオーバーラップする。装置は、メモリに結合されている少なくとも１つのプロセッサを含み、少なくとも１つのプロセッサは、ＰＵＳＣＨ上でＵＣＩを送信し、スケジューリングされたＰＵＣＣＨ送信をドロップすること、ＰＵＣＣＨ上でＵＣＩを送信し、スケジューリングされたＰＵＳＣＨ送信をドロップすること、または、第１および第２の１つ以上のスロットのそれぞれに対するＵＣＩ送信をドロップすること、を決定するように構成されている。装置は、決定にしたがって、第１および第２の１つ以上のスロット中のＵＣＩを送信またはドロップするように構成されている送信機を含んでいる。
【００１３】
[0012]本開示のある態様は、ＵＥによるワイヤレス通信のためのコンピュータ実行可能なコードを記憶しているコンピュータ読取可能媒体を提供する。コンピュータ実行可能コードは、一般的に、第１の反復数に関係付けられている第１の１つ以上のスロット中のＰＵＳＣＨ上で送信するスケジューリングと、第２の反復数に関係付けられている第２の１つ以上のスロット中のＰＵＣＣＨ上で送信するスケジューリングとを受信するためのコードを含んでいる。スケジューリングされたＰＵＳＣＨおよびＰＵＣＣＨ送信は、少なくとも１つのスロット中でオーバーラップする。コンピュータ実行可能コードは、一般的に、ＰＵＳＣＨ上でＵＣＩを送信し、スケジューリングされたＰＵＣＣＨ送信をドロップすること、ＰＵＣＣＨ上でＵＣＩを送信し、スケジューリングされたＰＵＳＣＨ送信をドロップすること、または、第１および第２の１つ以上のスロットのそれぞれに対するＵＣＩ送信をドロップすること、を決定するためのコードを含んでいる。コンピュータ実行可能コードは、一般的に、決定にしたがって、第１および第２の１つ以上のスロット中のＵＣＩを送信またはドロップするためのコードを含んでいる。
【００１４】
[0013]前述のおよび関連する目的の達成のために、１つ以上の態様は、以下に十分に説明され、特許請求の範囲において特に指摘される特徴を備える。以下の説明および添付の図面は、１つ以上の態様のある例示的な特徴を詳細に述べる。しかしながら、これらの特徴は、さまざまな態様の原理を用いることができるさまざまな方法のうちのいくつかだけを示している。
【図面の簡単な説明】
【００１５】
[0014]本開示の先に記載した特徴を詳細に理解できるように、上記で簡単に要約されているより特定の説明を、態様への参照によって得てもよく、態様のうちのいくつかは、図面中で図示されている。しかしながら、添付した図面は、本開示のある典型的な態様のみを図示しており、それゆえ、その範囲を限定するものとして考えるべきでないことに留意すべきであり、説明が、他の等しく有効な態様への余地があるかもしれないためである。
【図１】[0015]  図１は、本開示のある態様にしたがった、例示的な電気通信システムを概念的に図示したブロックダイヤグラムである。
【図２】[0016]  図２は、本開示のある態様にしたがった、分散型無線アクセスネットワーク（ＲＡＮ）の例示的な論理アーキテクチャを図示したブロックダイヤグラムである。
【図３】[0017]  図３は、本開示のある態様にしたがった、分散型ＲＡＮの例示的な物理アーキテクチャを図示したダイヤグラムである。
【図４】[0018]  図４は、本開示のある態様にしたがった、例示的な基地局（ＢＳ）とユーザ機器（ＵＥ）の設計を概念的に図示したブロックダイヤグラムである。
【図５】[0019]  図５は、本開示のある態様にしたがった、通信プロトコルスタックを実現する例を示すダイヤグラムである。
【図６】[0020]  図６は、本開示のある態様にしたがった、新たな無線（ＮＲ）システムに対するフレームフォーマットの例を図示している。
【図７】[0021]  図７は、本開示のある態様にしたがった、アップリンク制御情報（ＵＣＩ）送信のためにＵＥによって実行され得る例示的な動作を図示したフローダイヤグラムである。
【図８】[0022]  図８は、本開示のある態様にしたがった、ＢＳによって実行され得る例示的な動作を図示している。
【図９】[0023]  図９は、本開示の態様にしたがった、ここで開示する技術のための動作を実行するように構成されているさまざまなコンポーネントを含み得る通信デバイスを図示している。
【図１０】[0024]  図１０は、本開示の態様にしたがった、ここで開示する技術のための動作を実行するように構成されているさまざまなコンポーネントを含み得る通信デバイスを図示している。
【００１６】
[0025]理解を促進するために、可能な限り、図面に共通の同一の要素を指定するために、同一の参照番号が使用されている。１つの態様中で開示されている要素は、特定の記述なく、他の態様で有益に利用できることが企図されている。
【詳細な説明】
【００１７】
[0026]本開示の態様は、ＮＲ（新たな無線アクセステクノロジーまたは５Ｇテクノロジー）に対する装置、方法、処理システム、および、コンピュータ読取可能媒体を提供する。ＮＲは、（例えば、８０ＭＨｚを超える）広帯域幅をターゲットとする拡張移動体ブロードバンド（ｅＭＢＢ）、高搬送波周波数（例えば、２５ＧＨｚ以上）をターゲットとするミリメートル波（ｍｍＷ）、非下位互換性ＭＴＣ技術をターゲットとする大容量マシンタイプ通信ＭＴＣ（ｍＭＴＣ）、および／または、超高信頼低遅延通信（ＵＲＬＬＣ）をターゲットとするミッションクリティカルのような、さまざまなワイヤレス通信サービスをサポートし得る。これらのサービスは、待ち時間と信頼性の要件を含み得る。これらのサービスはまた、それぞれのサービス品質（ＱｏＳ）の要件を満たすために、異なる送信時間間隔（ＴＴＩ）も有し得る。さらに、これらのサービスは、同じサブフレームに共存し得る。
【００１８】
[0027]ＮＲのようなあるシステムでは、物理アップリンク共有チャネル（ＰＵＳＣＨ）および物理アップリンク制御チャネル（ＰＵＣＣＨ）のようなチャネルは、反復のために構成されることができる。これらのチャネルにおけるアップリンク制御情報（ＵＣＩ）の送信は、ルールに基づき得る。ルールに基づいて、ユーザ機器（ＵＥ）は、ＰＵＣＣＨ中でＵＣＩを送信し、ＰＵＳＣＨ中でＵＣＩをピギーバックし、あるいは、ＵＣＩまたはＵＣＩの一部分をドロップすることができる。いくつかのケースでは、ルールは、反復なし（例えば、反復係数＝１）のケースに対してＵＣＩ送信を決定するために規定されるが、ＮＲでは、ＰＵＳＣＨおよびＰＵＣＣＨは、反復（例えば、反復係数＝２、４、８等）に対して構成されることができるので、反復のケースに対してＵＣＩルールを適用するための技術が望ましい。
【００１９】
[0028]したがって、本開示の態様は、反復する、オーバーラップするＰＵＳＣＨおよびＰＵＣＣＨリソース割当てに対するＵＣＩ送信のための技術および装置を提供する。
【００２０】
[0029]以下の説明は、例を提供するものであり、特許請求の範囲において記載する範囲、適用可能性、または例を限定しない。変更が、本開示の範囲から逸脱することなく、説明される要素の機能およびアレンジメントにおいて行われ得る。さまざまな例は、適切に、さまざまな手順またはコンポーネントを、省略、置換、または追加し得る。例えば、説明する方法は、説明したものとは異なる順序で実行し得、さまざまなステップを追加、省略、または組み合わせられ得る。さらに、いくつかの例に関して説明した特徴は、他の何らか例において組み合わせられ得る。例えば、ここで述べる任意の数の態様を使用して、装置を実現し得、または、方法を実施し得る。加えて、本開示の範囲は、ここで述べる開示のさまざまな態様に加えて、または、ここで述べる開示のさまざまな態様以外に、他の構造、機能性、あるいは、構造および機能性を使用して実施される、このような装置または方法をカバーすることを意図している。ここに開示した開示の任意の態様は、請求項の１つ以上の要素によって具現化され得ることを理解すべきである。「実例的」という言葉は、「例、事例、または例示としての役割を果たすこと」を意味するようにここでは使用される。「例示的」なものとしてここで説明する任意の態様は、必ずしも、他の態様よりも好ましい、または有利であると解釈すべきではない。
【００２１】
[0030]ここで説明する技術を、ＬＴＥや、ＣＤＭＡや、ＴＤＭＡや、ＦＤＭＡや、ＯＦＤＭＡや、ＳＣ−ＦＤＭＡや、他のネットワークのような、さまざまなワイヤレス通信テクノロジーに対して使用し得る。用語「ネットワーク」および「システム」は、交換可能に使用されることが多い。ＣＤＭＡネットワークは、ユニバーサル地上無線アクセス（ＵＴＲＡ）、ＣＤＭＡ２０００等のような無線テクノロジーを実現し得る。ＵＴＲＡは、広帯域ＣＤＭＡ（ＷＣＤＭＡ（登録商標））と、ＣＤＭＡの他の変形とを含む。ｃｄｍａ２０００は、ＩＳ−２０００標準規格と、ＩＳ−９５標準規格と、ＩＳ−８５６標準規格とをカバーする。ＴＤＭＡネットワークは、移動体通信のためのグローバルシステム（ＧＳＭ（登録商標））のような無線テクノロジーを実現し得る。ＯＦＤＭＡネットワークは、ＮＲ（例えば、５Ｇ  ＲＡ）、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ等のような無線テクノロジーを実現し得る。ＵＴＲＡおよびＥ−ＵＴＲＡは、ユニバーサル移動体電気通信システム（ＵＭＴＳ）の一部である。
【００２２】
[0031]新たな無線（ＮＲ）は、５Ｇテクノロジーフォーラム（５ＧＴＦ）に関連して開発中である新興のワイヤレス通信テクノロジーである。３ＧＰＰロングタームエボリューション（ＬＴＥ）およびＬＴＥアドバンスト（ＬＴＥ−Ａ）は、Ｅ−ＵＴＲＡを使用するＵＭＴＳのリリースである。ＵＴＲＡや、Ｅ−ＵＴＲＡや、ＵＭＴＳや、ＬＴＥや、ＬＴＥ−Ａや、ＧＳＭは、「第３世代パートナーシッププロジェクト」（３ＧＰＰ）と名付けられている組織からの文書中に説明されている。ｃｄｍａ２０００およびＵＭＢは、「第３世代パートナーシッププロジェクト２」（３ＧＰＰ２）と名付けられている組織からの文書中に説明されている。ここで説明する技術は、上記で言及したワイヤレスネットワークおよび無線テクノロジーとともに、他のワイヤレスネットワークおよび無線テクノロジーのために使用し得る。明確にするために、３Ｇおよび／または４Ｇワイヤレステクノロジーに共通して関係付けられている専門用語を使用して、ここでは態様を説明しているが、本開示の態様は、ＮＲテクノロジーを含む、５Ｇおよびその後のもののような、他世代ベースの通信システムに適用することができる。
【００２３】
例示的なワイヤレス通信システム
[0032]図１は、本開示の態様を実行し得る、例示的なワイヤレス通信ネットワーク１００を図示している。例えば、ワイヤレス通信ネットワーク１００は、新たな無線（ＮＲ）または５Ｇネットワークであり得る。ワイヤレス通信ネットワーク１００中のＵＥ１２０は、例えば、ワイヤレス通信ネットワーク１００中のＢＳ１１０から、物理アップリンク共有チャネル（ＰＵＳＣＨ）送信のためのスケジューリングと、物理アップリンク制御チャネル（ＰＵＣＣＨ）送信のためのスケジューリングとを受信するように構成され得る。ＰＵＳＣＨおよびＰＵＣＣＨは、反復のためにスケジューリングされ得る。ＵＥ１２０は、サブフレーム中のオーバーラップするスロットにおいて、および／または、スロット内のオーバーラップする直交周波数分割多重化（ＯＦＤＭ）シンボルにおいて、ＰＵＳＣＨおよびＰＵＣＣＨを送信するようにスケジューリングされ得る。ＵＥ１２０は、送信するアップリンク制御情報（ＵＣＩ）を有していてもよく、ＵＣＩをドロップするか、ＰＵＣＣＨをドロップし、ＰＵＳＣＨ上でＵＣＩをピギーバックするか、または、ＰＵＣＣＨ上でＵＣＩを送信し、ＰＵＳＣＨをドロップするかを決定し得る。ＵＥ１２０は、以下でより詳細に説明するルールに基づいて、決定を行ってもよい。ＵＥ１２０のルールは、単一の反復に適用するか、あるいは、リソース割当てにおける複数のまたはすべてのスロットに適用され得る。ルールは、スケジューリングされたオーバーラップの性質、チャネルの優先度、論理チャネル、および／または、チャネルおよび論理チャネルに関係付けられている情報、送信の内容、スケジューリングに関係付けられているリソース割当て、および／または、他の要因を含むがこれらに限定されない、複数の要因に基づき得る。
【００２４】
[0033]図１に図示するように、ワイヤレス通信ネットワーク１００は、多数の基地局（ＢＳ）１１０と他のネットワークエンティティとを含み得る。ＢＳは、ユーザ機器（ＵＥ）と通信する局であり得る。各ＢＳ１１０は、特定の地理的エリアに対する通信カバレッジを提供し得る。３ＧＰＰにおいて、用語「セル」は、用語が使用される文脈に依存して、ノードＢ（ＮＢ）のカバレッジエリア、および／または、このカバレッジエリアをサービスしているＮＢサブシステムのカバレッジエリアを指すことができる。ＮＲシステムでは、用語「セル」および次世代ノードＢ（ｇＮＢまたはｇノードＢ）、アクセスポイント（ＡＰ）、または送信受信ポイント（ＴＲＰ）は、交換可能であり得る。いくつかの例において、セルは、必ずしも静的でなくてもよく、セルの地理的エリアは、移動体ＢＳのロケーションにしたがって移動し得る。いくつかの例では、直接的な物理接続、ワイヤレス接続、仮想ネットワーク、または、任意の適切な伝送ネットワークを使用するこれらに類するもののような、さまざまなタイプのバックホールインターフェースを通して、基地局は、ワイヤレス通信ネットワーク１００中の、互いに、ならびに／あるいは、１つの他の基地局および／または（示していない）ネットワークノードに相互接続され得る。
【００２５】
[0034]一般的に、任意の数のワイヤレスネットワークは、所定の地理的エリアに配備され得る。各ワイヤレスネットワークは、特定の無線アクセステクノロジー（ＲＡＴ）をサポートし得、１つ以上の周波数で動作し得る。ＲＡＴはまた、無線テクノロジー、エアインタフェース等と呼ばれ得る。周波数はまた、搬送波、サブキャリア、周波数チャネル、トーン、副帯域等と呼ばれ得る。各周波数は、異なるＲＡＴのワイヤレスネットワーク間の干渉を避けるために、所定の地理的エリアにおける単一のＲＡＴをサポートし得る。いくつかのケースでは、ＮＲまたは５Ｇ  ＲＡＴネットワークが配備され得る。
【００２６】
[0035]ＢＳは、マクロセル、ピコセル、フェムトセル、および／または、他のタイプのセルに対する通信カバレッジを提供し得る。マクロセルは、比較的大きい地理エリア（例えば、半径数キロメートル）をカバーし、サービス加入を有するＵＥによる無制限のアクセスを可能にし得る。ピコセルは、比較的狭い地理エリアをカバーし、サービス加入を有するＵＥによる無制限のアクセスを可能にし得る。フェムトセルは、比較的小さい地理的エリア（例えば、家）をカバーするものであり、フェムトセルとの関係を有するＵＥ（例えば、閉じられた加入者グループ（ＣＳＧ）中のＵＥ、家中のユーザに対するＵＥ等）による、制限されたアクセスを可能にし得る。マクロセルに対するＢＳは、マクロＢＳとして呼ばれ得る。ピコセルに対するＢＳは、ピコＢＳとして呼ばれ得る。フェムトセルに対するＢＳは、フェムトＢＳまたはホームＢＳとして呼ばれ得る。図１に示される例では、ＢＳ１１０ａ、１１０ｂ、および１１０ｃはそれぞれ、マクロセル１０２ａ、１０２ｂ、および１０２ｃのためのマクロＢＳであり得る。ＢＳ１１０ｘは、ピコセル１０２ｘに対するピコＢＳであり得る。ＢＳ１１０ｙおよび１１０ｚは、それぞれフェムトセル１０２ｙおよび１０２ｚのためのフェムトＢＳであり得る。ＢＳは、１つ以上（例えば、３つ）のセルをサポートし得る。
【００２７】
[0036]ワイヤレス通信ネットワーク１００は、中継局も含み得る。中継局は、アップストリーム局（例えば、ＢＳまたはＵＥ）からデータおよび／または他の情報の送信を受信し、ダウンストリーム局（例えば、ＵＥまたはＢＳ）にデータおよび／または他の情報の送信を送る局である。中継局はまた、他のＵＥに対する送信を中継するＵＥであり得る。図１で示される例では、中継局１１０ｒは、ＢＳ１１０ａとＵＥ１２０ｒとの間の通信を促進するために、ＢＳ１１０ａおよびＵＥ１２０ｒと通信し得る。中継局はまた、中継ＢＳ、中継器等として呼ばれ得る。
【００２８】
[0036]ワイヤレス通信ネットワーク１００は、異なるタイプのＢＳ（例えば、マクロＢＳ、ピコＢＳ、フェムトＢＳ、中継器等）を含むヘテロジニアスネットワークであり得る。これらの異なるタイプのＢＳは、ワイヤレス通信ネットワーク１００において、異なる送信電力レベル、異なるカバレッジエリア、および、干渉に対する異なる影響を有し得る。例えば、マクロＢＳは、高い送信電力レベル（例えば、２０ワット）を有し得るのに対し、ピコＢＳ、フェムトＢＳ、および、中継器は、より低い送信電力レベル（例えば、１ワット）を有し得る。
【００２９】
[0038]ワイヤレス通信ネットワーク１００は、同期動作または非同期動作をサポートし得る。同期動作について、ＢＳは、同様のフレームタイミングを有していてもよく、異なるＢＳからの送信は、時間的におおよそアラインされ得る。非同期動作について、ＢＳは、異なるフレームタイミングを有し得、異なるＢＳからの送信は、時間的にアラインされ得ない。ここで説明した技術は、同期および非同期動作の両方に対して使用し得る。
【００３０】
[0039]ネットワーク制御装置１３０は、ＢＳのセットに結合され、これらのＢＳに対する調整および制御を提供し得る。ネットワーク制御装置１３０は、バックホールを介してＢＳ１１０と通信し得る。ＢＳ１１０はまた、ワイヤレスまたはワイヤラインバックホールを介して、（例えば、直接的または間接的に）互いに通信し得る。
【００３１】
[0040]ＵＥ１２０（例えば、１２０ｘ、１２０ｙ等）は、ワイヤレスネットワーク１００全体を通して分散し得、各ＵＥは、静的または移動体であり得る。ＵＥはまた、移動局、端末、アクセス端末、加入者ユニット、局、顧客構内機器（ＣＰＥ）、セルラ電話機、スマートフォン、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、タブレットコンピュータ、カメラ、ゲーミングデバイス、ネットブック、スマートブック、ウルトラブック、電気機器、医療デバイスまたは医療機器、生体センサ／デバイス、スマートウォッチや、スマートクロージングや、スマートグラスや、スマートリストバンドや、スマートジュエリー（例えば、スマートリング、スマートブレスレット等）のようなウェアラブルデバイス、エンターテイメントデバイス（例えば、音楽デバイス、ビデオデバイス、衛星ラジオ等）、車両コンポーネントまたはセンサ、スマートメーター／センサ、産業製造機器、グローバルポジショニングシステムデバイス、あるいは、ワイヤレスまたはワイヤード媒体を介して通信するように構成されている他の何らかの適切なデバイスとして呼ばれ得る。いくつかのＵＥを、機械タイプ通信（ＭＴＣ）デバイスまたは進化型ＭＴＣ（ｅＭＴＣ）デバイスと見なし得る。ＭＴＣまたはｅＭＴＣ  ＵＥは、ＢＳ、別のデバイス（例えば、遠隔デバイス）、または、他の何らかのエンティティと通信し得る、例えば、ロボット、ドローン、遠隔デバイス、センサ、メーター、モニタ、ロケーションタグ等を含む。ワイヤレスノードは、例えば、ワイヤードまたはワイヤレス通信リンクを介して、ネットワーク（例えば、インターネットまたはセルラネットワークのようなワイドエリアネットワーク）のための、あるいは、ネットワークへの接続性を提供し得る。いくつかのＵＥをインターネットオブシングス（ＩｏＴ）デバイスと見なし得、これは、狭帯域ＩｏＴ（ＮＢ−ＩｏＴ）デバイスであり得る。
【００３２】
[0041]あるワイヤレスネットワーク（例えば、ＬＴＥ）は、ダウンリンク上では直交周波数分割多重化（ＯＦＤＭ）を利用し、アップリンク上では単一搬送波周波数分割多重化（ＳＣ−ＦＤＭ）を利用する。ＯＦＤＭおよびＳＣ−ＦＤＭは、システム帯域幅を複数（Ｋ個）の直交サブキャリアに分割し、これは一般的に、トーンやビン等とも呼ばれる。各サブキャリアは、データで変調され得る。一般的に、変調シンボルは、ＯＦＤＭにより周波数ドメインで送られ、ＳＣ−ＦＤＭＡにより時間ドメインで送られる。隣接サブキャリア間の間隔は固定され得、サブキャリアの総数（Ｋ個）は、システム帯域幅に依存し得る。例えば、サブキャリアの間隔は、１５ｋＨｚであり得、（「リソースブロック」（ＲＢ）と呼ばれる）最小リソース割り振りは、１２個のサブキャリア（または１８０ｋＨｚ）であり得る。結果的に、公称高速フーリエ変換（ＦＦＴ）サイズは、１．２５、２．５、５、１０、または２０メガヘルツ（ＭＨｚ）のシステム帯域幅に対して、それぞれ、１２８、２５６、５１２、１０２４、または２０４８と等しくてもよい。システム帯域幅はまた、副帯域に分割され得る。例えば、副帯域は、１．０８ＭＨｚ（すなわち、６個のリソースブロック）をカバーし得、１．２５、２．５、５、１０、または、２０ＭＨｚのシステム帯域幅に対して、それぞれ１、２、４、８、または、１６個の副帯域が存在し得る。
【００３３】
[0042]ここで説明する例の態様は、ＬＴＥテクノロジーに関係付けられ得るが、本開示の態様は、ＮＲのような他のワイヤレス通信システムに適用可能であり得る。
【００３４】
[0043]ＮＲは、アップリンクおよびダウンリンク上でＣＰを有するＯＦＤＭを利用し得、ＴＤＤを使用する半二重動作に対するサポートを含み得る。ビーム形成をサポートし得、ビーム方向を動的に構成し得る。プリコーディングを有するＭＩＭＯ送信もサポートし得る。ＤＬ中のＭＩＭＯコンフィギュレーションは、８本までの送信アンテナをサポートし得、マルチレイヤＤＬ送信は、８ストリームまでであり、ＵＥ毎に２ストリームまでである。ＵＥ毎に２ストリームまでのマルチレイヤ送信をサポートし得る。複数のセルのアグリゲーションを、８個までのサービングセルによりサポートし得る。
【００３５】
[0044]いくつかの例では、エアインターフェースへのアクセスがスケジューリングされ得る。スケジューリングエンティティ（例えば、ＢＳ）は、そのサービスエリアまたはセル内のいくつかのまたはすべてのデバイスおよび機器間の通信に対して、リソースを割り振る。スケジューリングエンティティは、１つ以上の下位エンティティに対するリソースを、スケジューリングし、割当て、再構成し、および、解放することを担い得る。すなわち、スケジューリングされた通信に対して、下位エンティティは、スケジューリングエンティティによって割り振られるリソースを利用する。基地局は、スケジューリングエンティティとして機能し得る唯一のエンティティではない。いくつかの例では、ＵＥは、スケジューリングエンティティとして機能し得、１つ以上の下位エンティティ（例えば、１つ以上の他のＵＥ）に対するリソースをスケジューリングし得、他のＵＥは、ワイヤレス通信のためにＵＥによってスケジューリングされるリソースを利用し得る。いくつかの例では、ＵＥは、ピアツーピア（Ｐ２Ｐ）ネットワーク、および／または、メッシュネットワークにおいて、スケジューリングエンティティとして機能し得る。メッシュネットワークの例では、ＵＥは、スケジューリングエンティティと通信することに加えて、互いに直接通信し得る。
【００３６】
[0045]図１において、両側矢印の実線は、ＵＥとサービングＢＳとの間の所望の送信を示し、サービングＢＳは、ダウンリンクおよび／またはアップリンク上でＵＥをサービスするように指定されたＢＳである。両側矢印の細かい破線は、ＵＥとＢＳとの間の干渉する送信を示す。図２は、分散型無線アクセスネットワーク（ＲＡＮ）２００の例示的な論理アーキテクチャを図示しており、これは、図１中に図示されているワイヤレス通信ネットワーク１００中で実現し得る。５Ｇアクセスノード２０６は、アクセスノード制御装置（ＡＮＣ）２０２を含み得る。ＡＮＣ２０２は、分散型ＲＡＮ２００の中央ユニット（ＣＵ）であり得る。次世代コアネットワーク（ＮＧ−ＣＮ）２０４へのバックホールインターフェースは、ＡＮＣ２０２で終端し得る。隣接する次世代アクセスノード（ＮＧ−ＡＮ）２１０へのバックホールインターフェースは、ＡＮＣ２０２で終端し得る。ＡＮＣ２０２は、１つ以上のＴＲＰ２０８（例えば、セル、ＢＳ、ｇＮＢ等）を含み得る。
【００３７】
[0046]ＴＲＰ２０８は、分散ユニット（ＤＵ）であり得る。ＴＲＰ２０８は、単一のＡＮＣ（例えばＡＮＣ２０２）に接続されていてもよく、または、（図示していない）１つより多くのＡＮＣに接続されていてもよい。例えば、ＲＡＮ共有、ラジオアズアサービス（ＲａａＳ）、および、サービス特有のＡＮＤ配備に対して、ＴＲＰ２０８は、１つより多くのＡＮＣに接続されていてもよい。ＴＲＰ２０８はそれぞれ、１つ以上のアンテナポートを含み得る。ＴＲＰ２０８は、個々に（例えば、動的選択）、または、一緒に（例えば、ジョイント送信）、ＵＥへのトラフィックを供給するように構成されていてもよい。
【００３８】
[0047]分散型ＲＡＮ２００の論理アーキテクチャは、異なる配備タイプに渡るフロントホール解決法をサポートし得る。例えば、論理アーキテクチャは、送信ネットワーク能力（例えば、帯域幅、待ち時間、および／または、ジッタ）に基づき得る。分散型ＲＡＮ２００の論理アーキテクチャは、特徴および／またはコンポーネントをＬＴＥと共有し得る。次世代アクセスノード（ＮＧ−ＡＮ）２１０は、ＮＲとのデュアル接続をサポートし得、ＬＴＥおよびＮＲに対する共通フロントホールを共有し得る。分散型ＲＡＮ２００の論理アーキテクチャは、例えば、ＡＮＣ２０２を介したＴＲＰ内および／またはＴＲＰにわたる、ＴＲＰ２０８間の協調を可能にし得る。ＴＲＰ間インターフェースは使用されなくてもよい。
【００３９】
[0048]論理機能は、分散型ＲＡＮ２００の論理アーキテクチャ中で動的に分散され得る。図５を参照してより詳細に説明するように、無線リソース制御（ＲＲＣ）レイヤ、パケットデータコンバージェンスプロトコル（ＰＤＣＰ）レイヤ、無線リンク制御（ＲＬＣ）レイヤ、媒体アクセス制御（ＭＡＣ）レイヤ、および物理（ＰＨＹ）レイヤは、ＤＵ（例えば、ＴＲＰ２０８）またはＣＵ（例えば、ＡＮＣ２０２）に適応可能に配置され得る。
【００４０】
[0049]図３は、本開示の態様にしたがう、分散型ＲＡＮ３００の例示的な物理的アーキテクチャを図示している。集中型コアネットワークユニット（Ｃ−ＣＵ）３０２は、コアネットワーク機能をホスト管理し得る。Ｃ−ＣＵ３０２は、中央に配備されていてもよい。Ｃ−ＣＵ３０２機能性は、ピーク能力を取り扱うために、（例えば、アドバンストワイヤレスサービス（ＡＷＳ）に）オフロードし得る。
【００４１】
[0050]集中型ＲＡＮユニット（Ｃ−ＲＵ）３０４は、１つ以上のＡＮＣ機能をホスト管理し得る。オプション的に、Ｃ−ＲＵ３０４は、コアネットワーク機能をローカルにホスト管理し得る。Ｃ−ＲＵ３０４は、分散された配備を有し得る。Ｃ−ＲＵは、ネットワークエッジに近くてもよい。
【００４２】
[0051]ＤＵ３０６は、１つ以上のＴＲＰ（エッジノード（ＥＮ）、エッジユニット（ＥＵ）、無線ヘッド（ＲＨ）、スマート無線ヘッド（ＳＲＨ）、または、これらに類するもの）をホスト管理し得る。ＤＵは、無線周波数（ＲＦ）機能性により、ネットワークのエッジに位置付けられていてもよい。
【００４３】
[0052]図４は、本開示の態様を実現するために使用され得る（図１に中に描かれるような）ＢＳ１１０およびＵＥ１２０の例示的なコンポーネントを図示している。例えば、アンテナ４５２、プロセッサ４６６、４５８、４６４、ならびに／あるいは、ＵＥ１２０および／またはアンテナ４３４の制御装置／プロセッサ４８０、プロセッサ４２０、４３０、４３８、ならびに／あるいは、ＢＳ１１０の制御装置／プロセッサ４４０は、ここで説明するさまざまな技術および方法を実行するために使用され得る。
【００４４】
[0053]ｅＮＢ１１０では、送信プロセッサ４２０は、データソース４１２からデータを、制御装置／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリットＡＲＱインジケータチャネル（ＰＨＩＣＨ）、物理ダウンリンク制御チャネル（ＰＤＣＣＨ）、グループ共通ＰＤＣＣＨ（ＧＣ  ＰＤＣＣＨ）等に対するものであり得る。データは、物理ダウンリンク共有チャネル（ＰＤＳＣＨ）等に対するものであり得る。プロセッサ４２０は、データおよび制御情報を処理して（例えば、エンコードし、シンボルマッピングして）、データシンボルと制御シンボルをそれぞれ取得し得る。プロセッサ４２０はまた、例えば、一次同期信号（ＰＳＳ）、二次同期信号（ＳＳＳ）、およびセル固有基準信号（ＣＲＳ）のための基準シンボルを発生することができる。送信（ＴＸ）複数入力複数出力（ＭＩＭＯ）プロセッサ４３０は、データシンボル、制御シンボル、および／または、適用可能な場合、基準シンボルで空間処理（例えば、プリコーディング）を実行し、出力シンボルストリームを変調器（ＭＯＤ）４３２ａ〜４３２ｔに提供し得る。各変調器４３２は、（例えば、ＯＦＤＭ等に対して）それぞれの出力シンボルストリームを処理して、出力サンプルストリームを取得し得る。各変調器はさらに、出力サンプルストリームを処理（例えば、アナログに変換、増幅、フィルタ、およびアップコンバート）して、ダウンリンク信号を取得する。変調器４３２ａ〜４３２ｔからのダウンリンク信号は、それぞれ、アンテナ４３４ａ〜４３４ｔを介して送信され得る。
【００４５】
[0054]ＵＥ１２０では、アンテナ４５２ａ〜４５２ｒは、基地局１１０からダウンリンク信号を受信し得、受信した信号を、それぞれ、トランシーバ中の復調器（ＤＥＭＯＤ）４５４ａ〜４５４ｒに提供し得る。各復調器４５４はそれぞれの受信信号を調整（例えば、フィルタ、増幅、ダウンコンバート、およびデジタル化）して、入力サンプルを取得し得る。各復調器は、（例えば、ＯＦＤＭ等に対して）入力サンプルをさらに処理して、受信シンボルを取得し得る。ＭＩＭＯ検出器４５６は、すべての復調器３５４ａ〜４５４ｒから受信したシンボルを取得し、適用可能な場合、受信したシンボルにおいてＭＩＭＯ検出を実行し、検出したシンボルを提供し得る。受信プロセッサ４５８は、検出されたシンボルを処理（例えば、復調、デインタリーブ、およびデコード）し、ＵＥ１２０のためのデコードされたデータをデータシンク４６０に提供し、デコードされた制御情報を制御装置／プロセッサ４８０に提供し得る。
【００４６】
[0055]アップリンク上では、ＵＥ１２０において、送信プロセッサ４６４は、データソース４６２から（例えば、物理アップリンク共有チャネル（ＰＵＳＣＨ）のための）データを受信し、処理し得、制御装置／プロセッサ４８０から（例えば、物理アップリンク制御チャネル（ＰＵＣＣＨ）のための）制御情報を受信し、処理し得る。送信プロセッサ４６４はまた、基準信号に対する（例えば、サウンディング基準信号（ＳＲＳ）に対する）基準シンボルを発生さ得る。送信プロセッサ４６４からのシンボルは、適用可能な場合、ＴＸ  ＭＩＭＯプロセッサ４６６によってプリコーディングされ、さらに、（例えば、ＳＣ−ＦＤＭ等のための）トランシーバ４５４ａ〜４５４ｒにおける復調器よって処理され、基地局１１０に送信され得る。ＢＳ１１０において、ＵＥ１２０からのアップリンク信号は、アンテナ４３４によって受信され、変調器４３２によって処理され、適用可能な場合、ＭＩＭＯ検出器４３６によって検出され、さらに受信プロセッサ４３８によって処理されて、ＵＥ１２０によって送られた、デコードされたデータおよび制御情報を取得し得る。受信プロセッサ４３８は、デコードされたデータをデータシンク４３９に提供し、デコードされた制御情報を制御装置／プロセッサ４４０に提供し得る。
【００４７】
[0056]制御装置／プロセッサ４４０および４８０は、それぞれＢＳ１１０における動作およびＵＥ１２０における動作を指示し得る。プロセッサ４４０、ならびに／あるいは、ＢＳ１１０における他のプロセッサおよびモジュールはまた、ここで説明する技術のためのプロセスの実行を実施あるいは指示し得る。メモリ４４２および４８２は、それぞれ、ＢＳ１１０およびＵＥ１２０のためのデータおよびプログラムコードを記憶し得る。スケジューラ４４４は、ダウンリンクおよび／またはアップリンク上でのデータ送信のためにＵＥをスケジューリングし得る。
【００４８】
[0057]図５は、本開示の態様にしたがった、通信プロトコルスタックを実現するための例を示すダイヤグラム５００を図示している。図示している通信プロトコルスタックは、５Ｇシステム（例えば、アップリンクベースのモビリティをサポートするシステム）のようなワイヤレス通信システム中で動作するデバイスによって実現し得る。ダイヤグラム５００は、ＲＲＣレイヤ５１０、ＰＤＣＰレイヤ５１５、ＲＬＣレイヤ５２０、ＭＡＣレイヤ５２５、および、ＰＨＹレイヤ５３０を含む通信プロトコルスタックを図示している。さまざまな例において、プロトコルスタックのレイヤは、ソフトウェアの別個のモジュール、プロセッサまたはＡＳＩＣの一部分、通信リンクによって接続されている非共通配置デバイスの一部分、あるいは、これらのさまざまな組み合わせとして実現し得る。共通配置および非共通配置のインプリメンテーションは、例えば、ネットワークアクセスデバイス（例えば、ＡＮ、ＣＵ、および／または、ＤＵ）またはＵＥのためのプロトコルスタックで使用し得る。
【００４９】
[0058]第１のオプション５０５−ａは、プロトコルスタックの分割インプリメンテーションを示し、プロトコルスタックのインプリメンテーションは、集中型ネットワークアクセスデバイス（例えば、図２のＡＮＣ２０２）と分散型ネットワークアクセスデバイス（例えば、図２のＤＵ２０８）との間で分割される。第１のオプション５０５−ａにおいて、ＲＲＣレイヤ５１０とＰＤＣＰレイヤ５１５は、中央ユニットによって実現し得、ＲＬＣレイヤ５２０、ＭＡＣレイヤ５２５、および、ＰＨＹレイヤ５３０は、ＤＵによって実現し得る。さまざま例において、ＣＵおよびＤＵは、共通配置または非共通配置し得る。第１のオプション５０５−ａは、マクロセル、マイクロセル、または、ピコセル配備において有用であり得る。
【００５０】
[0059]第２のオプション５０５−ｂは、プロトコルスタックの統一されたインプリメンテーションを示しており、プロトコルスタックが単一のネットワークアクセスデバイスにおいて実現される。第２のオプションにおいて、ＲＲＣレイヤ５１０、ＰＤＣＰレイヤ５１５、ＲＬＣレイヤ５２０、ＭＡＣレイヤ５２５、および、ＰＨＹレイヤ５３０は、ＡＮによってそれぞれ実現し得る。第２のオプション５０５−ｂは、例えば、フェムトセル配備において有用であり得る。
【００５１】
[0060]ネットワークアクセスデバイスがプロトコルスタックの一部分を実現するか、すべてを実現するかにかかわらず、ＵＥは、プロトコルスタック全体（例えば、ＲＲＣレイヤ５１０、ＰＤＣＰレイヤ５１５、ＲＬＣレイヤ５２０、ＭＡＣレイヤ５２５、および、ＰＨＹレイヤ５３０）を実現し得る。
【００５２】
[0060]ＬＴＥでは、基本送信時間間隔（ＴＴＩ）またはパケット期間は、１ｍｓサブフレームである。ＮＲでは、サブフレームは、依然として１ｍｓであるが、基本ＴＴＩは、スロットとして呼ばれる。サブフレームは、サブキャリア間隔に依存して、変化する数のスロット（例えば、１、２、４、８、１６、．．．スロット）を含む。ＮＲ  ＲＢは１２個の連続周波数サブキャリアである。ＮＲは、１５ｋＨｚの基本サブキャリア間隔をサポートし得、他のサブキャリア間隔は、例えば、３０ｋＨｚ、６０ｋＨｚ、１２０ｋＨｚ、２４０ｋＨｚ等のような、基本サブキャリア間隔に関して規定されていてもよい。シンボルとスロット長は、サブキャリア間隔でスケーリングされる。ＣＰ長も、サブキャリア間隔に依存する。
【００５３】
[0062]図６は、ＮＲに対するフレームフォーマット６００の例を示すダイヤグラムである。ダウンリンクおよびアップリンクのそれぞれに対する送信タイムラインが、無線フレームの単位に区分されている。各無線フレームは、予め定められている期間（例えば、１０ｍｓ）を有し得、０〜９のインデックスを有する、それぞれ１ｍｓである、１０個のサブフレームに区分し得る。各サブフレームは、サブキャリア間隔に依存して、変化する数のスロットを含み得る。各スロットは、サブキャリア間隔に依存して、変化する数のシンボル期間（例えば、７または１４シンボル）を含み得る。各スロット中のシンボル期間には、インデックスが割当てられていてもよい。サブスロット構造と呼ばれることがあるミニスロットは、スロット未満の期間（例えば、２、３、または４シンボル）を有する送信時間間隔を指す。
【００５４】
[0063]スロット中の各シンボルは、データ送信のためのリンク方向（例えば、ＤＬ、ＵＬ、または、フレキシブル）を示し得、各サブフレームに対するリンク方向を動的に切り替え得る。リンク方向は、スロットフォーマットに基づき得る。各スロットは、ＤＬ／ＵＬデータとともにＤＬ／ＵＬ制御データを含み得る。
【００５５】
[0064]ＮＲでは、同期信号（ＳＳ）ブロックが送信される。ＳＳブロックは、ＰＳＳ、ＳＳＳ、および、２つのシンボルＰＢＣＨを含む。ＳＳブロックは、図６に示すように、シンボル０〜３のような、固定されたスロットロケーション中で送信されることができる。ＰＳＳおよびＳＳＳは、セルのサーチおよび捕捉のためにＵＥにより使用され得る。ＰＳＳは、半フレームタイミングを提供し得、ＳＳは、ＣＰ長とフレームタイミングを提供し得る。ＰＳＳとＳＳＳは、セル識別子を提供し得る。ＰＢＣＨは、ダウンリンクシステム帯域幅、無線フレーム内のタイミング情報、ＳＳバーストセット周期、システムフレーム番号等のような、いくつかの基本システム情報を搬送する。ＳＳブロックは、ビームスイープをサポートするためにＳＳバーストに編成され得る。残存最小システム情報（ＲＭＳＩ）、システム情報ブロック（ＳＩＢ）、他のシステム情報（ＯＳＩ）のような、さらなるシステム情報は、あるサブフレームにおける物理ダウンリンク共有チャネル（ＰＤＳＣＨ）上で送信されることができる。ＳＳブロックは、例えば、ｍｍＷに対して６４個までの異なるビーム方向で、６４回まで送信されることができる。ＳＳブロックの６４回までの送信は、ＳＳバーストセットと呼ばれる。ＳＳバーストセット中のＳＳブロックは、同じ周波数領域で送信されるが、異なるＳＳバーストセット中のＳＳブロックは、異なる周波数ロケーションで送信されることができる。
【００５６】
[0065]いくつかの状況では、２つ以上の下位エンティティ（例えば、ＵＥ）は、サイドリンク信号を使用して、互いに通信し得る。このようなサイドリンク通信の現実世界のアプリケーションは、公衆安全、近接サービス、ＵＥ対ネットワーク中継、車対車（Ｖ２Ｖ）通信、インターネットオブエブリシング（ＩｏＥ）通信、ＩｏＴ通信、ミッションクリティカルメッシュ、および／または、他のさまざまな適切なアプリケーションを含み得る。一般的に、たとえ、スケジューリングエンティティがスケジューリングおよび／または制御目的で利用され得るとしても、サイドリンク信号は、スケジューリングエンティティ（例えば、ＵＥまたはＢＳ）を通してその通信を中継することなく、１つの下位エンティティ（例えば、ＵＥ１）から別の下位エンティティ（例えば、ＵＥ２）に通信される信号を指し得る。いくつかの例では、サイドリンク信号は、（典型的にライセンスされていないスペクトル使用するワイヤレスローカルエリアネットワークとは異なり）ライセンスされているスペクトルを使用して通信され得る。
【００５７】
[0066]ＵＥは、リソースの専用セット（例えば、無線リソース制御（ＲＲＣ）専用状態等）を使用して、パイロットを送信することに関係付けられているコンフィギュレーション、または、リソースの共通セット（例えば、ＲＲＣ共通状態等）を使用して、パイロットを送信することに関係付けられているコンフィギュレーションを含む、さまざまな無線リソースコンフィギュレーションにおいて動作し得る。ＲＲＣ専用状態で動作するとき、ＵＥは、パイロット信号をネットワークに送信するためのリソースの専用セットを選択し得る。ＲＲＣ共通状態で動作するとき、ＵＥは、パイロット信号をネットワークに送信するためのリソースの共通セットを選択し得る。どちらのケースにおいても、ＵＥによって送信されるパイロット信号は、ＡＮ、または、ＤＵ、または、これらの部分であるような、１つ以上のネットワークアクセスデバイスによって受信され得る。各受信ネットワークアクセスデバイスは、リソースの共通セット上で送信されるパイロット信号を受信して測定するように構成され得、ネットワークアクセスデバイスがＵＥに対するネットワークアクセスデバイスの監視セットのメンバーである、ＵＥに割り振られたリソースの専用セット上で送信されるパイロット信号も受信して測定するように構成され得る。受信ネットワークアクセスデバイスのうちの１つ以上は、または、受信ネットワークアクセスデバイスがパイロット信号の測定を送信するＣＵは、ＵＥに対するサービングセルを識別するために、または、ＵＥのうちの１つ以上に対するサービングセルの変更を開始するために、測定を使用し得る。  
反復する、オーバーラップするアップリンクリソース割当てに対する例示的なＵＣＩ送信
【００５８】
[0067]本開示の態様は、ＮＲシステム（新たな無線アクセスまたは５Ｇテクノロジー）に対する装置、方法、処理システム、および、コンピュータ読取可能媒体を提供する。ある態様は、ＮＲにおけるアップリンク制御情報（ＵＣＩ）の送信のための技術を提供する。
【００５９】
[0068]（例えば、図１中のワイヤレス通信ネットワーク１００に図示されたＢＳ１１０のような）基地局は、アップリンク送信のために（例えば、図１中のワイヤレス通信ネットワーク１００に図示されたＵＥ１２０のような）ユーザ機器をスケジューリングすることができる。例えば、ＢＳは、物理アップリンク共有チャネル（ＰＵＳＣＨ）送信および／または物理アップリンク制御チャネル（ＰＵＣＣＨ）送信のためにＵＥをスケジューリングし得る。ＮＲのようなあるシステムでは、ＰＵＳＣＨおよび／またはＰＵＣＣＨは、反復のために構成されることができる。ＰＵＳＣＨおよび／またはＰＵＣＣＨは、送信が反復されるスロットのような送信時間間隔（ＴＴＩ）の数を指定する反復係数（例えば、１、２、４、８）に関係付けられることができる。スロットは、単一のサブフレームまたは異なるサブフレームにあり得る。送信は、スロット内の特定の直交周波数分割多重化（ＯＦＤＭ）シンボル上でスケジューリングされ得る。
【００６０】
[0069]スケジューリングされた送信は、スケジューリングされたスロットのうちのいくつかまたはすべてにおいてオーバーラップし得る。オーバーラップするＰＵＳＣＨおよび／またはＰＵＣＣＨを同じスロット中で（例えば同時に）送信することは、結果として、最大電力低減（ＭＰＲ）、増加したピーク対平均電力比（ＰＡＰＲ）、スロット内の電力移行等をもたらし得る。ルールは、送信がオーバーラップするスロットにおいてスケジューリングされたチャネル上で送信またはドロップするために、および／または、ＰＵＣＣＨがドロップされるとき、ＰＵＳＣＨ上のＵＣＩをピギーバックする（すなわち、多重化する）ために、適用され得る。
【００６１】
[0070]ＰＵＳＣＨおよび／またはＰＵＣＣＨに対して反復が構成されるとき、どのチャネルを送信またはドロップし、および、どこでＵＣＩを送信またはドロップすべきかに関するルールに対する技術が望ましい。
【００６２】
[0071]したがって、本開示の態様は、反復する、オーバーラップするＰＵＳＣＨおよび／またはＰＵＣＣＨリソース割当てに対するＵＣＩ送信のための技術および装置を提供する。
【００６３】
[0072]図７は、本開示のある態様にしたがった、ワイヤレス通信に関する例示的な動作７００を図示するフローダイヤグラムである。動作７００は、（例えば、図１中に図示したＵＥ１２０のうちの１つのような）ＵＥによって実行され得る。動作７００は、１つ以上のプロセッサ（例えば、図４のプロセッサ４８０）上で実行およびランされるソフトウェアコンポーネントとして実現され得る。さらに、動作７００中のＵＥによる信号の送信および受信は、例えば、１つ以上のアンテナ（例えば、図４のアンテナ４５２）によって可能にされ得る。ある態様では、ＵＥによる信号の送信および／または受信は、信号を取得および／または出力する１つ以上のプロセッサ（例えば、プロセッサ４８０）のバスインターフェースを介して実現され得る。
【００６４】
[0073]動作７００は、７０２において、第１の反複数に関係付けられている第１の１つ以上のスロット中のＰＵＳＣＨ上で送信するスケジューリング（例えば、リソース割当て）と、第２の反複数に関係付けられている第２の１つ以上のスロット中のＰＵＣＣＨ上で送信するスケジューリングとを受信ことによって開始し得る。反復係数は、関係付けられているＰＵＳＣＨまたはＰＵＣＣＨが反復されるスロットの数を指定し得る。反復係数１は、反復なし（すなわち、１スロット送信のみ）を示し得る。反復は、連続スロットまたは非連続スロット中にあり得る。反復は、同じサブフレームにおける、異なるサブフレームにおける、および／または、異なるフレームにおける、スロット中にあり得る。例えば、いくつかのスロットは、送信を行うのに十分な数のＵＬシンボルを有さないかもしれず（例えば、シンボルは、他の何らかのシグナリングによってＤＬに切り替えられているかもしれず）、これらのスロットは、反復のためにスキップされ得る。
【００６５】
[0074]スケジューリングされたＰＵＳＣＨおよび／またはＰＵＣＣＨ送信は、少なくとも１つのスロット中で（例えば、スロットの部分的または完全にオーバーラップするセット中で、および、スロット内のＯＦＤＭシンボルの部分的または完全にオーバーラップするセット中で）オーバーラップする。
【００６６】
[0075]７０４において、ＵＥは、ＰＵＳＣＨ上でアップリンク制御情報（ＵＣＩ）を送信（例えば、ピギーバック）し、スケジューリングされたＰＵＣＣＨ送信をドロップすること、ＰＵＣＣＨ上でＵＣＩを送信し、スケジューリングされたＰＵＳＣＨ送信をドロップすること、または、第１および第２の１つ以上のスロットのそれぞれに対するＵＣＩ送信をドロップすること、を決定する。以下でより詳細に説明するように、決定は、ルールまたはルールのセットに基づき得る。ルールは、（図７のオプション７１１に示されるような）送信に関係付けられている優先度レベル、（図７のオプション８１２に示されるような）オーバーラップする送信の性質、送信のコンテンツ、送信のタイミング、送信のためのリソース割当てのタイミング等のような、さまざまな要因に依存し得る。
【００６７】
[0076]７０６において、ＵＥは、決定にしたがって、第１および第２の１つ以上のスロット中のＵＣＩ（例えば、およびＰＵＳＣＨおよびＰＵＣＣＨ）を送信またはドロップする。
【００６８】
[0077]図８は、本開示のある特定の態様にしたがった、ワイヤレス通信に関する例示的な動作８００を図示するフローダイヤグラムである。動作８００は、（例えば、図１に図示したワイヤレス通信ネットワーク１００中のＢＳ１１０のような）ＢＳによって実行され得る。動作８００は、ＵＥによって実行される動作７００に対する、ＢＳによる相補的な動作であり得る。動作８００は、１つ以上のプロセッサ（例えば、図４のプロセッサ４４０）上で実行およびランされるソフトウェアコンポーネントとして実現され得る。さらに、動作８００におけるＢＳによる信号の送信および受信は、例えば、１つ以上のアンテナ（例えば、図４のアンテナ４３４）によって可能にされ得る。ある態様では、ＢＳによる信号の送信および／または受信は、信号を取得および／または出力する１つ以上のプロセッサ（例えば、プロセッサ４４０）のバスインターフェースを介して実現され得る。
【００６９】
[0078]動作８００は、８０２において、第１の反復数に関係付けられている第１の１つ以上のスロット中のＰＵＳＣＨ上で送信するように、および、第２の反復数に関係付けられている第２の１つ以上のスロット中のＰＵＣＣＨ上で送信するように、ＵＥをスケジューリングすることによって開始し得、ここにおいて、スケジューリングされたＰＵＳＣＨおよびＰＵＣＣＨ送信は、少なくとも１つのスロット中でオーバーラップする。
【００７０】
[0079]８０４において、第１および第２のスケジューリングされた１つ以上のスロットにおいて、ＢＳは、ＵＥから、（例えば、ピギーバックされた）スケジューリングされたＰＵＳＣＨ上のＵＣＩを受信するが、（例えば、ＰＵＣＣＨがＵＥによってドロップされたので）スケジューリングされたＰＵＣＣＨ送信を受信せず、または、ＢＳは、スケジューリングされたＰＵＣＣＨ上のＵＣＩを受信するが、（例えば、ＰＵＳＣＨがＵＥによってドロップされたので）スケジューリングされたＰＵＳＣＨ送信を受信せず、または、ＢＳは、（例えば、ＵＣＩがＵＥによってドロップされたので）ＵＣＩを受信し得ない。
【００７１】
[0080]上述したように、ＵＣＩを送信するチャネル、または、ドロップするチャネルのＵＥによる決定は、ルールまたはルールのセットに基づき得る。ルールは、送信に関係付けられている優先度レベル、オーバーラップする送信の性質、送信のコンテンツ、送信のタイミング、送信のためのリソース割当てのタイミング等のような、さまざまな要因に依存し得る。
【００７２】
[0081]ここで説明する例示的なルールおよび要因は、網羅的でなく、相互排他的でなくてもよい。決定を行うために他の適切なルールが使用され得、ルールは他の適切な要因に基づき得る。ルールおよび要因の適切な組合せを使用して決定を行い得る。
【００７３】
[0082]ある態様にしたがって、決定は、チャネルおよび／またはＵＣＩの相対優先度に少なくとも部分的に基づく。例えば、決定は、ＵＣＩに関係付けられている第１の優先度レベルと、ＰＵＳＣＨに関係付けられている第２の優先度レベルとに基づき得る。
【００７４】
[0083]ＰＵＳＣＨの優先度レベルは、ＰＵＳＣＨに関係付けられている（例えば、ＰＵＳＣＨにおいて搬送されるビットを有する）論理チャネルのそれぞれの優先度レベルに基づき得る。例えば、ＰＵＳＣＨは、拡張移動体ブロードバンド（ｅＭＢＢ）および超高信頼低遅延通信（ＵＲＬＬＣ）のような、異なるサービスに対する異なる論理チャネルに関係付けられ得る。いくつかの例では、ＰＵＳＣＨの優先度レベルは、関係付けられている論理チャネルの最高優先度レベルである。ＵＣＩの優先度レベルは、ＵＣＩコンテンツ（例えば、情報）の優先度レベル、または、最高優先度レベルに基づき得る。いくつかの例では、ハイブリッド自動再送要求（ＨＡＲＱ）肯定応答（ＡＣＫ）情報（例えば、ＡＣＫ／ＮＡＣＫフィードバック）の優先度は、肯定応答されている対応する物理ダウンリンク共有チャネル（ＰＤＳＣＨ）の優先度レベルに基づき得る。いくつかの例では、スケジューリング要求（ＳＲ）の優先度レベルは、ＳＲに関連付けられている論理チャネルの優先度レベルに基づき得る。異なる論理チャネルに対応する複数のＳＲリソースがＰＵＳＣＨリソースとオーバーラップする場合、ＰＵＳＣＨとともに含まれるＳＲは、最高の論理チャネル優先度を有するもの、または、より早く開始するＳＲリソースを有するものに対応し得る。
【００７５】
[0084]ＵＥは、チャネルに適用される優先度を用いて構成され得る。例えば、ＵＥはハードワイヤードであり得、優先度はワイヤレス標準規格において指定され得る、および／または、優先度はＵＥにシグナリングされ得る。いくつかの例では、優先度は、降順の優先度で、最高優先度を有するＡＣＫ／ＮＡＣＫ情報、次いで、スケジューリング要求、第１のタイプのチャネル状態情報（例えば、周期的ＣＳＩ）、第２のタイプのＣＳＩ（例えば、半永続的ＣＳＩ）、第３のタイプのＣＳＩ（例えば、周期的ＣＳＩ）、次いで最低優先度を有するＰＵＳＣＨデータであり得る。いくつかの例では、異なる順序の優先度が構成され得る。例えば、アップリンクトラフィックがダウンリンクトラフィックより重要であると見なされる場合、ＳＲはＡＣＫよりも優先され得る。
【００７６】
[0085]ある態様にしたがって、ＵＣＩを送信するチャネル、または、ドロップするチャネルのＵＥによる決定は、スケジューリングされた送信のオーバーラップに少なくとも部分的に基づく。例えば、決定は、送信がスロット内および／またはスロット間でオーバーラップしているかに基づき得る。
【００７７】
[0086]スロット内オーバーラップに対して、決定は、オーバーラップする送信が、完全にオーバーラップする（例えば、スロット中のＯＦＤＭシンボルの同じセットはＰＵＳＣＨおよびＰＵＣＣＨに対してスケジューリングされる）、または、部分的にオーバーラップする（例えば、いくつかのＯＦＤＭシンボルはオーバーラップする送信に対してスケジューリングされ、他のＯＦＤＭシンボルはそうではない）スロット内のＯＦＤＭシンボル上の送信に対してスケジューリングされるかに基づく。スロット中の送信がＯＦＤＭシンボルの部分的にオーバーラップするセット上のみである場合、決定は、どの割当てがより早くまたはより遅く開始するか、ならびに／あるいはどの割当てがより早くまたはより遅く終了するかにさらに基づき得る。いくつかの例では、送信は、異なるスロットに対するＯＦＤＭシンボルについてスケジューリングされ得、したがって、スロット内オーバーラップは、異なるスロットに対して異なり得る。
【００７８】
[0087]スロット間オーバーラップに対して、決定は、スケジューリングされたスロットが完全にオーバーラップする（例えば、スロットの同じセットが送信のためにスケジューリングされる）か、または、部分的にオーバーラップする（例えば、いくつかのスロットがオーバーラップし、他のスロットがオーバーラップしない）かに基づき得る。スケジューリングされた送信がスロットの部分的にオーバーラップするセット中にのみある場合、決定は、どの割当てがより早くまたはより遅く開始するか、および／または、どの割当てがより早くまたはより遅く終了するかにさらに基づき得る。
【００７９】
[0088]ある態様にしたがって、決定は、ＵＣＩに関係付けられている情報のタイプ（例えば、ＵＣＩのコンテンツ）に少なくとも部分的に基づく。
【００８０】
[0089]ある態様にしたがって、決定は、オーバーラップする送信をスケジューリングするリソース割当てに少なくとも部分的に基づく。例えば、決定は、リソース割当てが半静的であるか動的であるか、および／または、リソース割当てが受信される時間に基づき得る。
【００８１】
[0090]ある態様にしたがって、ルールは、（例えば、反復なしの）１つのスロットにおけるオーバーラップに対して決定／規定され得る。１スロットルールに対する決定は、上述の要因のうちのいずれか、あるいは、これらの要因および／または他の要因の組み合わせに基づき得る。完全なオーバーラップに対して、同じルールが反復スロットに拡張され得る。例えば、スケジューリングされたスロットのそれぞれにおいて、同じルール／決定が、ＰＵＳＣＨ／ＰＵＣＣＨ／ＵＣＩの送信／ドロップに適用されることができる。部分的なオーバーラップに対して、１スロットルールに対する決定は、オーバーラップするスロットのみに適用され、他のスロットには適用されなくてもよい。いくつかの例では、１つのチャネル（例えば、ＰＵＳＣＨまたはＰＵＣＣＨ）がドロップされ得る。チャネルは、すべてのスロット上でドロップされ得、オーバーラップするスロット上でのみドロップされ得、または、最初にオーバーラップするスロットおよび残りのスロットで開始するチャネルがドロップされ得る。ドロップされることになるチャネルは、チャネルの優先度レベル、割当てのタイミング、割当てが知られた（例えば、半静的にまたは動的に受信された）とき、または、これらの組合せに基づき得る。
【００８２】
[0091]いくつかの例では、部分的オーバーラップに対して、オーバーラップする送信をスケジューリングする受信／構成された割当ては、追加のオーバーラップまたは完全オーバーラップを生成する（例えば、実施するまたは達成する）ように調整されることができる。割当てのうちの１つ以上は、オーバーラップしないスロットの数を低減または除去するために暗黙的に拡張され得る。例えば、割当てのうちの１つが半静的である場合、他の割当て（例えば、他のチャネルのための動的割当て）が受信されるとすぐにオーバーラップを予測されることができる。予測されたオーバーラップに基づいて、半静的割当ては、動的割当てとオーバーラップするように拡張されることができる。このケースでは、１つのスロットに対するルール／決定は、オーバーラップするスロットのすべてに対して使用されることができる。
【００８３】
[0092]いくつかの例では、改善された処理を可能にするために、割当てに対して他の調節が行われ得る。例えば、割当てのうちの１つが単一のスロットに対するものである場合、１スロットルールは、そのスロットのみに適用され得る。同じ構造を有するスロット反復の連続セットを取得するために、または、ＵＥ処理タイムラインを改善するために、そのオーバーラップするスロットを他の複数スロット割当ての開始または終了にシフトすることが有利であり得る。実例的な例では、１スロットＰＵＳＣＨがＮスロットＰＵＣＣＨとオーバーラップするとき、１スロットＰＵＳＣＨは、Ｎスロットの最初または最後に移動され、ＵＣＩは、１スロットＰＵＳＣＨ上でピギーバックされ、残りのＮ−１スロット上で送信されることができる。ＰＵＳＣＨが割当ての開始または終了に移動されるかは、例えば、スロット内のオーバーラップの性質（例えば、２つのリソース割当て、ＰＵＳＣＨまたはＰＵＣＣＨのうちのどちらが、より早く開始するまたは終了するＯＦＤＭシンボルを有するか）に基づくような、他の要因によって決定（例えば、それに基づいて決定）され得る。後のスロットへの割当てにシフトすることも、処理タイムラインを改善できる。例えば、１スロットＰＵＣＣＨが２スロットＰＵＳＣＨの第１のスロットとオーバーラップし、ＰＵＳＣＨがＰＵＣＣＨよりも早く開始する場合、ＵＣＩが第１のスロット上でピギーバックされる場合、ＵＣＩは、オーバーラップするＰＵＳＣＨがなかった場合よりも早く利用可能であり得る。代わりに、ＵＣＩは、ＰＵＳＣＨの第２のスロット上でピギーバックされることができる。これは、ＰＵＣＣＨ割当てを１スロットだけ最初に遅延させた後に、オーバーラップするスロット内のピギーバックルールにしたがうと解釈されることができる。
【００８４】
[0093]ペイロードが準備できていない場合、古い／前のペイロード（例えば、古い／前のＣＳＩ）が使用され得る、または、割当てが拡張され得ず、または、送信のうちの１つがドロップされ得る。一般的に、例えば、ｋ１タイムライン（すなわち、ＰＤＳＣＨと対応するＡＣＫとの間のギャップ）、および、ｋ２タイムライン（すなわち、ＰＵＳＣＨ割当許可とＰＵＳＣＨ送信との間のギャップ）に基づいて、ＰＵＣＣＨ  ＡＣＫとＰＵＳＣＨの両方のための十分な事前通知を用いた完全拡張にしたがうことができる限り、完全拡張が許可され得る。実例的な例では、動的にスケジューリングされた１スロット（すなわち、１の構成された反復係数）ＡＣＫは、４スロット（すなわち、４の構成された反復係数）半永続的ＰＵＳＣＨ割当ての第３スロットとオーバーラップする。（例えば、最小ｋ１値に基づいて）４スロットＰＵＳＣＨ割当ての第１スロットより前にＡＣＫ割当てが十分に知られている場合、１スロットＡＣＫ割当ては、４スロットＰＵＳＣＨ割当てのすべてのスロットをカバーするように拡張され得る。４スロットＰＵＳＣＨ割当てのすべてのスロットに拡張する前にＡＣＫ割当てが十分知られていない場合、ＡＣＫは拡張されない、または、それが十分であるスロットにのみ拡張され得る。別の実例的な例では、ＡＣＫ割当てとＰＵＳＣＨ割当ての両方が動的にスケジューリングされる。動的ＡＣＫ割当てが知られる前に動的ＰＵＳＣＨ割当てが知られた場合（例えば、ＰＵＳＣＨに対するＤＣＩが最初に受信された）、前の実例的な例からのアプローチにしたがうことができる。
【００８５】
[0094]ある態様にしたがって、あるオーバーラップは許可され得ない。例えば、ｇＮＢは、あるオーバーラップをスケジューリングしない（例えば、スケジューリングすることを回避する）かもしれず、ＵＥは、許可されないオーバーラップをスケジューリングするｇＮＢを予期し得ない。
【００８６】
[0095]ある態様にしたがって、ＵＥは、１つ以上のオーバーラップするスロット中でＰＵＳＣＨおよびＰＵＣＣＨ送信をスケジューリングする１つ以上の割当て（例えば、アップリンク許可）を拒否し得る。いくつかの例では、１つのチャネルに対する許可が動的であり、別のチャネルに対する許可が半静的である場合、ＵＥは動的許可を拒否し得る。いくつかの例では、両方のチャネルに対する許可が動的である場合、ＵＥは、最初に受信された許可を受け入れ、後で受信された許可を拒否し得、または、ＵＥは、最初に受信された許可を拒否し、より最近の許可を拒否し受け入れてもよい。いくつかの例では、１つのチャネルに対する許可が動的であり、別のチャネルに対する許可が同時に受信される場合、または、両方の許可が動的である場合、ＵＥは、ＰＵＣＣＨに対する許可を受け入れ、ＰＵＳＣＨに対する許可を拒否し得る。いくつかの例では、ＰＵＳＣＨに対する許可がＰＵＣＣＨに対する許可よりもはるかに小さい（例えば、より低いペイロード容量）場合、ＵＥは、ＰＵＳＣＨ許可を拒否し、ＰＵＳＣＨ上でＵＣＩをピギーバックし得ない。
【００８７】
[0096]いくつかの例では、ルールは、割当てのタイミングの関数であり得る。例えば、ＰＵＣＣＨおよびＰＵＳＣＨの相対的優先度は、ＰＵＣＣＨおよびＰＵＳＣＨに対する割当て持続時間の関数であり得る。より短い期間の送信は、より短い待ち時間要件に関係付けられてもよく、したがって、より長い期間の送信よりも高い優先度に関係付けられ得る。いくつかの例は、（例えば、１つまたは２つのＯＦＤＭシンボル期間の）短いＰＵＣＣＨ、および、非スロットＰＵＳＣＨ（例えば、ミニスロットＰＵＳＣＨ送信と呼ばれ得るタイプＢ）であり、それぞれ、（例えば、４つ以上のＯＦＤＭシンボル期間の）長いＰＵＣＣＨ、および、スロットベースのＰＵＳＣＨ（例えば、タイプＡ送信）よりも高く優先付けされ得る。
【００８８】
[0097]ＰＵＣＣＨとＰＵＳＣＨの両方が同じ優先度である（例えば、短いＰＵＣＣＨと非スロットＰＵＳＣＨ、または、長いグＰＵＣＣＨとスロットベースのＰＵＳＣＨ）とき、適用されることになる決定されたルールは、ＰＵＣＣＨとＰＵＳＣＨが異なる優先度であるときのルールとは異なり得る。例えば、ＰＵＳＣＨよびＰＵＣＣＨが同じ優先度を有するとき、時間的に後に開始する送信がドロップされ得、ＰＵＳＣＨおよびＰＵＣＣＨが異なる優先度を有するとき、たとえ、より高い優先度の送信が後に開始するとしても、より高い優先度の送信を進めることを可能にするために、より早い送信が、部分的な送信の後にドロップまたは中止され得る。中止前に送られた送信の元の部分との位相コヒーレンスを維持しながらその送信を再開することが可能になり得ないので、中止された送信は、より高い優先度の送信が完了した後でさえ、中止が開始したスロット内で再開することを許可され得ない。スロット反復が構成されるとき、中止された送信は、後続の反復されるスロットにおいても再開することを許可され得ない。代替的に、各反復スロットはそれ自体の復調基準信号（ＤＭＲＳ）を有することから、より低い優先度の送信は、後続の反復スロットにおいて再開することを可能にされ得る。
【００８９】
[0098]ここで説明する技術は、ＰＵＳＣＨおよびＰＵＣＣＨの例を指すが、ここで説明する技術は、リソースの異なるサブセット間に部分的または完全なオーバーラップを有する２より多くの送信リソースのケースに拡張され得る。例えば、ＮスロットＰＵＣＣＨは、２つの連続するＰＵＳＣＨ送信とオーバーラップし得る。ＵＣＩは、ＰＵＳＣＨ送信のうちの１つまたは両方でピギーバックされ得る。いくつかの例では、ＵＣＩをピギーバックするための１つ以上のＰＵＳＣＨ送信は、オーバーラップするスロット内のシンボルレベルオーバーラップの性質に基づいて、または、ＰＵＳＣＨ送信のうちのどれがより長い期間であるかに基づいて決定され得る。いくつかの例では、ＰＵＣＣＨはまた、オーバーラップするＰＵＳＣＨがないスロット上で送信され得る。ここで説明する技術はまた、２より多くの送信リソースが同じスロット中に含まれるケースに拡張され得る。例えば、１スロットＰＵＣＣＨは、同じスロット内の２つの連続する隣接または非隣接ＰＵＳＣＨ送信（例えば、ミニスロット送信）とオーバーラップし得る。ＵＣＩは、ＰＵＳＣＨのうちの１つまたは両方の上でピギーバックされ得る。
【００９０】
[0099]ある態様にしたがって、送信のために使用する送信ビームが決定され得る。いくつかの例では、ＰＵＣＣＨおよびＰＵＳＣＨ送信に対する１つ以上の送信ビームを決定するためのルールは、ここで説明する技術にしたがって決定されることができる。いくつかの例では、各スロットにおいて、（すなわち、そのスロットのための単一スロットルールにしたがって）送信がＰＵＣＣＨ上で行われるかＰＵＳＣＨ上で行われるかが最初に決定されることができ、次いで、そのスロットにおける対応する送信に対するビームが決定される。これは、結果として、例えば、ＵＣＩがオーバーラップするスロット上でのみピギーバックされる場合、異なるスロットに対して異なるビームをもたらし得る。したがって、いくつかの例では、送信の第１のスロットに対して送信および送信ビームが決定され、次いで、第１のスロットに対して決定されたビームが、後続のスロットにおけるすべての後続の送信に対して使用される。同じビームを使用することは、送信にわたる（ＤＭＲＳおよび位相トラッキング基準信号（ＰＴＲＳ）のような）パイロット信号における位相コヒーレンス仮定を促進することができ、これは、スロットにわたるジョイントチャネルおよび位相雑音推定を可能にすることができる。
【００９１】
[0100]ここで説明するビーム決定のための技術は、１スロットＰＵＳＣＨとオーバーラップする１スロットＰＵＣＣＨ割当てにさえも適用され得る。いくつかの例では、ＵＥは、ＰＵＣＣＨビームまたはＰＵＳＣＨビームのいずれかを使用し得、ＵＥは、送信がＰＵＣＣＨまたはＰＵＳＣＨ上で生じるか、ＵＣＩの性質等のような、さまざまな要因に基づいてビームを決定し得る。いくつかの例では、ＵＥは、ＰＵＳＣＨがＳＣＨデータのみ、ピギーバックされたＵＣＩのみ、または、ＳＣＨデータとＵＣＩの両方を搬送するかにかかわらず、ＰＵＳＣＨビームを使用し得る。
【００９２】
[0101]ここで説明するビーム決定のための技術はまた、ＰＵＳＣＨおよびＰＵＣＣＨ割当ての間にオーバーラップがないときに適用され得る。いくつかの例では、ＵＥは、すべての後のスロット中の第１のスロットにおいて決定されたビームを再使用する。いくつかの例では、ビームは、適切なビーム決定ルールに基づいて更新される。例えば、ＵＥは、ＰＵＳＣＨ許可中のビームインジケータに基づいて、または、ビームインジケータがない場合、最近のＰＵＣＣＨまたはＰＤＣＣＨリソースのビームに基づいて、ＰＵＳＣＨに対する送信ビームを決定し得る。最近のＰＵＣＣＨまたはＰＤＣＣＨリソースは、すべての反復されるＰＵＳＣＨスロットについて同じであってもよく、または、より最近のＰＵＣＣＨまたはＰＤＣＣＨリソースがスロット反復の間に生じる場合、連続するスロットについて更新し得る。最近のＰＵＣＣＨまたはＰＤＣＣＨリソースに関係付けられているビームは、スロット反復の間、例えば、無線リソース制御（ＲＲＣ）または媒体アクセス制御（ＭＡＣ）制御要素（ＣＥ）シグナリングに基づいて、更新され得る。更新は、反復されるＰＵＳＣＨスロットに対するビーム決定の目的のために含まれてもよく、または、除外され得る。
【００９３】
[0102]図９は、図７中に図示した動作のような、ここで開示する技術のための動作を実行するように構成されている（例えば、ミーンズプラスファンクションコンポーネントに対応する）さまざまなコンポーネントを含み得る通信デバイス９００を図示している。通信デバイスは、トランシーバ９０８に結合された処理システム９０２を含む。トランシーバ９０８は、ここで説明するさまざまな信号のような、アンテナ９１０を介して通信デバイス９００に対する信号を送信および受信するように構成されている。処理システム９０２は、通信デバイス９００によって受信されるおよび／または送信される信号を処理することを含む、通信デバイス９００のための処理機能を実行するように構成され得る。
【００９４】
[0103]処理システム９０２は、バス９０６を介してコンピュータ読取可能媒体／メモリ９１２に結合されたプロセッサ９０４を含む。ある態様では、コンピュータ読取可能媒体／メモリ９１２は、プロセッサ９０４によって実行されるとき、プロセッサ９０４に、図７中に図示した動作、または、オーバーラップするアップリンク割当てを用いたＵＣＩ送信のための、ここで説明するさまざまな技術を実行するための他の動作を実行させる命令（例えば、コンピュータ実行可能コード）を記憶するように構成される。ある態様では、コンピュータ読取可能媒体／メモリ９１２は、ＰＵＳＣＨおよびＰＵＣＣＨに対するスケジューリングを受信するためのコード９１４、例えば、本開示の態様にしたがった、第１の反復数に関係付けられている第１の１つ以上のスロット中のＰＵＳＣＨ上で送信するスケジューリングと、第２の反復数に関係付けられている第２の１つ以上のスロット中のＰＵＣＣＨ上で送信するスケジューリングとを受信するためのコードと、ここにおいて、スケジューリングされたＰＵＳＣＨおよびＰＵＣＣＨ送信は、少なくとも１つのスロット中でオーバーラップし、ＵＣＩ、ＰＵＣＣＨ、および、ＰＵＳＣＨを送信またはドロップするように決定するためのコード９１４、例えば、本開示の態様にしたがった、ＰＵＳＣＨ上でＵＣＩを送信し、スケジューリングされたＰＵＣＣＨ送信をドロップすること、ＰＵＣＣＨ上でＵＣＩを送信し、スケジューリングされたＰＵＳＣＨ送信をドロップすること、または、第１および第２の１つ以上のスロットのそれぞれに対するＵＣＩ送信をドロップすること、を決定するためのコードと、本開示の態様にしたがった、決定に基づいて、ＵＣＩを送信またはドロップするためのコード９１６とを記憶している。ある態様では、プロセッサ９０４は、コンピュータ読取可能媒体／メモリ９１２に記憶されているコードを実現するように構成された回路を有している。プロセッサ９０４は、ＰＵＳＣＨおよびＰＵＣＣＨに対するスケジューリングを受信するための回路９２０と、ＵＣＩ、ＰＵＣＣＨ、および、ＰＵＳＣＨを送信またはドロップするように決定するための回路９２２と、決定に基づいて、ＵＣＩを送信またはドロップするための回路９２４とを含んでいる。
【００９５】
[0104]図１０は、図８中に図示した動作のような、ここで開示する技術のための動作を実行するように構成されてる（例えば、ミーンズプラスファンクションコンポーネントに対応する）さまざまなコンポーネントを含み得る通信デバイス１０００を図示している。装置は、トランシーバ１００８に結合された処理システム１００２を含む。トランシーバ１００８は、ここで説明したようなさまざまな信号のような、アンテナ１０１０を介して通信デバイス１０００のための信号を送信および受信するように構成されている。処理システム１００２は、通信デバイス１０００によって受信されるおよび／または送信される信号を処理することを含む、通信デバイス１０００のための処理機能を実行するように構成され得る。
【００９６】
[0105]処理システム１００２は、バス１００６を介してコンピュータ読取可能媒体／メモリ１０１２に結合されたプロセッサ１００４を含む。ある態様では、コンピュータ読取可能媒体／メモリ１０１２は、プロセッサ１００４によって実行されるとき、プロセッサ１００４に、図８中に図示した動作、または、オーバーラップするアップリンク割当てを用いたＵＣＩ送信のためのここで説明したさまざまな技術を実行するための他の動作を実行させる命令（例えば、コンピュータ実行可能コード）を記憶するように構成されている。ある態様では、コンピュータ読取可能媒体／メモリ１０１２は、ＰＵＳＣＨおよびＰＵＣＣＨを送信するようにＵＥをスケジューリングするためのコード１０１４、例えば、本開示の態様にしたがった、第１の反復数に関係付けられている第１の１つ以上のスロット中のＰＵＳＣＨ上で送信するようにＵＥをスケジューリングし、第２の反復数に関係付けられている第２の１つ以上のスロット中のＰＵＣＣＨ上で送信するようにＵＥをスケジューリングするためのコードと、ここにおいて、スケジューリングされたＰＵＳＣＨおよびＰＵＣＣＨ送信は、少なくとも１つのスロット中でオーバーラップし、ＵＣＩ、ＰＵＣＣＨ、および、ＰＵＳＣＨをＵＥから受信するまたは受信しないためのコード１０１６、例えば、本開示の態様にしたがった、ＵＥから、スケジューリングされたＰＵＳＣＨ上のＵＣＩを受信し、スケジューリングされたＰＵＣＣＨ送信を受信しない、スケジューリングされたＰＵＣＣＨ上のＵＣＩを受信し、スケジューリングされたＰＵＳＣＨ送信を受信しない、または、ＵＣＩを受信しないためのコードとを記憶している。ある態様では、プロセッサ１００４は、コンピュータ読取可能媒体／メモリ１０１２に記憶されているコードを実現するように構成されている回路を有する。プロセッサ１００４は、ＰＵＳＣＨおよびＰＵＣＣＨを送信するようにＵＥをスケジューリングするための回路１０１８と、ＵＣＩ、ＰＵＳＣＨ、およびＰＵＣＣＨをＵＥから受信するまたは受信しないための回路１０２０とを含んでいる。
【００９７】
[0106]ここで開示した方法は、方法を達成するための１つ以上のステップまたはアクションを含んでいる。方法ステップおよび／またはアクションは、特許請求の範囲から逸脱することなく、互いに交換可能であり得る。言い換えると、ステップまたはアクションの特定の順序が指定されていない限り、特定のステップおよび／またはアクションの順序および／または使用を、特許請求の範囲から逸脱することなく修正し得る。
【００９８】
[0107]ここで使用したような、アイテムのリスト「のうちの少なくとも１つ」を指すフレーズは、単一のメンバーを含む、これらのアイテムの何らかの組み合わせのことを指す。例として、「ａ、ｂ、またはｃのうちの少なくとも１つ」は、ａ、ｂ、ｃ、ａ−ｂ、ａ−ｃ、ｂ−ｃ、および、ａ−ｂ−ｃとともに、複数の同じ要素の任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、および、ｃ−ｃ−ｃ、または、ａ、ｂ、および、ｃの他の何らかの順序）をカバーするように意図されている。
【００９９】
[0108]ここで使用したような、用語「決定する」は、幅広いさまざまなアクションを含んでいる。例えば、「決定する」は、算出する、計算する、処理する、導出する、調べる、検索する（例えば、表、データベース、または、別のデータ構造中において検索する）、確認する、および、これらに類するものを含み得る。また、「決定する」は、受信する（例えば、情報を受信する）、アクセスする（例えば、メモリ中のデータにアクセスする）、および、これらに類するものを含み得る。さらに、「決定する」は、解決する、選択する、選ぶ、確立する、および、これらに類するものを含み得る。
【０１００】
[0109]先の説明は、いかなる当業者であっても、ここで説明したさまざまな態様を実施することを可能にするために提供される。これらの態様へのさまざまな修正は、当業者にとって容易に明らかとなり、ここで規定した包括的な原理は、他の態様に適用され得る。したがって、ここで示した態様に限定されることを特許請求の範囲は意図しておらず、しかしながら、特許請求の範囲の文言と一致するすべての範囲が与えられるべきであり、単数形での要素への参照は、特にそのように述べられていない限り「１つおよび１つのみ」を意味するように意図されず、むしろ「１つ以上の」を意味するように意図されている。そうでないと具体的に述べられない限り、用語「いくつかの」は、１つ以上を指す。当業者には既知の、または後に既知となる本開示の全体に渡って説明されたさまざまな態様の要素に対するすべての構造的および機能的な均等物は、参照によりここに明示的に組み込まれ、特許請求の範囲により包含されるように意図されている。さらに、ここで開示したものは、このような開示が特許請求の範囲中に明示的に記載されているか否かにかかわらず、公共に捧げられることを意図していない。請求項の要素はどれも、要素が「のための手段」というフレーズを使用して明示的に記載されていない限り、または、方法の請求項のケースでは、要素が「のためのステップ」というフレーズを使用して記載されない限り、米国特許法１１２条（ｆ）の規定の下で解釈されるべきでない。
【０１０１】
[0110]上述した方法のさまざまな動作は、対応する機能を実行することが可能である任意の適切な手段によって実行され得る。手段は、回路、特定用途向け集積回路（ＡＳＩＣ）、またはプロセッサを含むがそれらに限定されない、さまざまなハードウェアおよび／またはソフトウェアコンポーネントおよび／またはモジュールを含み得る。一般的に、図中に図示される動作がある場合、これらの動作は、同様の番号を有する対応する対照のミーンズプラスファンクションコンポーネントを有し得る。
【０１０２】
[0111]本開示に関連して説明したさまざまな例示的な論理ブロック、モジュール、および、回路は、汎用プロセッサ、デジタル信号プロセッサ（ＤＳＰ）、特定用途向け集積回路（ＡＳＩＣ）、フィールドプログラム可能ゲートアレイ信号（ＦＰＧＡ）または他のプログラム可能論理デバイス（ＰＬＤ）、ディスクリートゲートまたはトランジスタ論理、ディスクリートハードウェアコンポーネント、あるいは、ここで説明した機能を実行するように設計されているこれらの任意の組み合わせにより実現しても、または実行し得る。汎用プロセッサはマイクロプロセッサであり得るが、代替実施形態では、プロセッサは、何らかの商業的に入手可能なプロセッサ、制御装置、マイクロ制御装置、または、状態機械であり得る。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーションのような、コンピューティングデバイスの組み合わせとして実現し得る。
【０１０３】
[0112]ハードウェアで実現される場合、例示的なハードウェアコンフィギュレーションは、ワイヤレスノード中に処理システムを備えてもよい。処理システムは、バスアーキテクチャによって実現され得る。バスは、処理システムの特定の用途および設計全体の制約に依存して、任意の数の相互接続バスおよびブリッジを含み得る。バスは、プロセッサ、機械読取可能媒体、および、バスインターフェースを含む、さまざまな回路を共にリンクし得る。バスインターフェースを使用して、バスを介して、ネットワークアダプタを、とりわけ、処理システムに結合し得る。ネットワークアダプタを使用して、ＰＨＹレイヤの信号処理機能を実現し得る。ユーザ端末１２０のケースでは（図１参照）、ユーザインターフェース（例えば、キーパッド、ディスプレイ、マウス、ジョイスティック等）もまた、バスに接続され得る。バスは、タイミングソース、周辺機器、電圧レギュレータ、電力管理回路、および、これらに類するもののような、他のさまざまな回路もリンクし得るが、これらは技術的によく知られているため、これ以上説明しない。プロセッサは、１つ以上の汎用プロセッサおよび／または特殊目的プロセッサによって実現され得る。例は、ソフトウェアを実行することができる、マイクロプロセッサ、マイクロ制御装置、ＤＳＰプロセッサ、および他の回路を含む。当業者は、特定のアプリケーションおよびシステム全体に課せられた設計全体の制約に依存して、処理システムに対する説明した機能性をどのように最良に実現するかを認識するだろう。
【０１０４】
[0113]ソフトウェアで実現する場合、機能は、１つ以上の命令またはコードとしてコンピュータ読取可能媒体上に記憶されてもよく、あるいは、１つ以上の命令またはコードとしてコンピュータ読取可能媒体上で送信され得る。ソフトウェア、ファームウェア、ミドルウェア、マイクロコード、ハードウェア記述言語、または、その他のものと呼ばれるか否かにかかわらず、ソフトウェアは、命令、データ、または、これらの何らかの組み合わせを意味するように広く解釈すべきである。コンピュータ読取可能媒体は、１つの場所から別の場所へのコンピュータプログラムの転送を促進する任意の媒体を含む、コンピュータ記憶媒体および通信媒体の両方を含んでいる。プロセッサは、バスの管理と、機械読取可能記憶媒体上に記憶されているソフトウェアモジュールの実行を含む汎用処理とを担っていてもよい。コンピュータ読取可能記憶媒体は、プロセッサが記憶媒体から情報を読み取り、記憶媒体に情報を書き込むことができるように、プロセッサに結合されていてもよい。代替実施形態では、記憶媒体はプロセッサと一体化し得る。例として、機械読取可能媒体は、送信線、データによって変調された搬送波、および／または、ワイヤレスノードから分離された、記憶された命令を有するコンピュータ読取可能記憶媒体を含んでもよいが、これらのすべては、バスインターフェースを通してプロセッサによってアクセスされ得る。代替的に、または、加えて、機械読取可能媒体またはその任意の一部分は、キャッシュおよび／または汎用レジスタファイルが用いられてもよいケースのような、プロセッサ中に統合され得る。機械読取可能記憶媒体の例は、例として、ＲＡＭ（ランダムアクセスメモリ）、フラッシュメモリ、ＲＯＭ（リードオンリーメモリ）、ＰＲＯＭ（プログラム可能リードオンリーメモリ）、ＥＰＲＯＭ（消去可能プログラム可能リードオンリーメモリ）、ＥＥＰＲＯＭ（登録商標）（電気的消去可能プログラム可能リードオンリーメモリ）、レジスタ、磁気ディスク、光ディスク、ハードドライブ、または、他の何らかの適切な記憶媒体、あるいは、これらの何らかの組み合わせを含んでもよい。機械読取可能媒体は、コンピュータプログラムプロダクト中で具現化され得る。
【０１０５】
[0114]ソフトウェアモジュールは、単一の命令または多くの命令を含んでいてもよく、いくつかの異なるコードセグメントを通して、異なるプログラム間で、および、複数の記憶媒体に渡って、分散され得る。コンピュータ読取可能媒体は、多数のソフトウェアモジュールを含んでもよい。ソフトウェアモジュールは、プロセッサのような装置によって実行されるとき、処理システムにさまざまな機能を実行させる命令を含む。ソフトウェアモジュールは、送信モジュールおよび受信モジュールを含んでもよい。各ソフトウェアモジュールは、単一の記憶デバイス中に存在し得、または、複数の記憶デバイスに渡って分散されていてもよい。例として、ソフトウェアモジュールは、トリガイベントが起こったときに、ハードドライブからＲＡＭにロードされ得る。ソフトウェアモジュールの実行の間、プロセッサは、命令のうちのいくつかをキャッシュにロードして、アクセススピードを増加させてもよい。その後、１つ以上のキャッシュラインが、プロセッサによる実行のために汎用レジスタファイルにロードされ得る。以下のソフトウェアモジュールの機能性に言及するときに、このような機能性は、そのソフトウェアモジュールからの命令を実行するときにプロセッサによって実現されることが理解されるだろう。
【０１０６】
[0115]何れの接続も、コンピュータ読取可能媒体と適切に呼ばれる。例えば、同軸ケーブルを、光ファイバケーブルを、撚り対を、デジタル加入者線（ＤＳＬ）を、または、赤外線（ＩＲ）、無線、マイクロ波のようなワイヤレステクノロジーを使用して、ソフトウェアが、ウェブサイトから、サーバから、他の遠隔ソースから送信される場合、同軸ケーブルや、光ファイバケーブルや、撚り対や、ＤＳＬや、または、赤外線、無線、マイクロ波のようなワイヤレステクノロジーは、媒体の定義中に含まれる。ここで使用したような、ディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、およびブルーレイ（登録商標）ディスクを含むが、通常、ディスク（ｄｉｓｋ）は、磁気的にデータを再生する一方で、ディスク（ｄｉｓｃ）はレーザにより光学的にデータを再生する。したがって、いくつかの態様では、コンピュータ読取可能媒体は、非一時的コンピュータ読取可能媒体（例えば、有形の媒体）を含み得る。さらに、他の態様に関して、コンピュータ読取可能媒体は、一時的コンピュータ読取可能媒体（例えば、信号）を含み得る。上記の組み合わせもまた、コンピュータ読取可能媒体の範囲内に含まれるべきである。
【０１０７】
[0116]したがって、ある態様は、ここに提示した動作を実行するためのコンピュータプログラム製品を備えていてもよい。例えば、このようなコンピュータプログラム製品は、記憶（および／またはエンコード）された命令を有するコンピュータ読取可能媒体を備えていてもよく、命令は、ここで説明した動作を実行するために１つ以上のプロセッサによって実行可能である。
【０１０８】
[0117]さらに、ここで説明した方法および技術を実行するためのモジュールおよび／または他の適切な手段を、適宜、ユーザ端末および／または基地局によって、ダウンロードできること、ならびに／あるいはそうでなければ、取得ができることを理解すべきである。例えば、このようなデバイスは、ここで説明した方法を実行する手段の転送を促進するために、サーバに結合されることができる。代替的に、ここで説明したさまざまな方法は、記憶手段をデバイスに結合または提供する際に、ユーザ端末および／または基地局がさまざまな方法を取得することができるように、記憶手段（例えば、ＲＡＭ、ＲＯＭ、コンパクトディスク（ＣＤ）またはフロッピーディスク等のような物理記憶媒体等）を介して提供することができる。さらに、ここで説明した方法および技術を提供するための、他の何らかの適切な技術が利用できる。
【０１０９】
[0118]特許請求の範囲が、上記に例示されたまさにそのコンフィギュレーションおよびコンポーネントに限定されないことを理解すべきである。特許請求の範囲から逸脱することなく、上記で説明した方法および装置のアレンジメント、動作、および詳細において、さまざまな修正、変更、およびバリエーションがなされ得る。
【図１】
2021512530.tif 000003
【図２】
2021512530.tif 000004
【図３】
2021512530.tif 000005
【図４】
2021512530.tif 000006
【図５】
2021512530.tif 000007
【図６】
2021512530.tif 000008
【図７】
2021512530.tif 000009
【図８】
2021512530.tif 000010
【図９】
2021512530.tif 000011
【図１０】
2021512530.tif 000012
【国際調査報告】
2021512530.tif 000013
2021512530.tif 000014
2021512530.tif 000015
2021512530.tif 000016